(57)【要約】【課題】物理信号／物理チャネルがマップされるリソースエレメントに基づいて、下りリンクデータを送受信し、効率的に通信することができる基地局装置、移動局装置、通信方法、集積回路および無線通信システムを提供する。【解決手段】基地局装置であって、物理下りリンク制御チャネルをユーザー装置スペシフィックサーチスペースで送信する場合には、第１の条件および第２の条件を満たすリソースエレメントに物理下りリンク共用チャネルをマップし、前記物理下りリンク制御チャネルをコモンサーチスペースで送信する場合には、第２の条件を満たすリソースエレメントに前記物理下りリンク共用チャネルをマップする。【選択図】図９
2014023074.tif 000002
【特許請求の範囲】
【請求項１】
物理下りリンク共用チャネルを移動局装置に送信する基地局装置であって、
リソースエレメントを指示する情報を前記移動局装置に送信し、
前記物理下りリンク共用チャネルをスケジュールするために使用される物理下りリンク制御チャネルをコモンサーチスペースまたはユーザー装置スペシフィックサーチスペースで前記移動局装置に送信し、
前記物理下りリンク制御チャネルをユーザー装置スペシフィックサーチスペースで送信する場合には、第１の条件および第２の条件を満たすリソースエレメントに前記物理下りリンク共用チャネルをマップし、
前記物理下りリンク制御チャネルをコモンサーチスペースで送信する場合には、第２の条件を満たすリソースエレメントに前記物理下りリンク共用チャネルをマップし、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする基地局装置。
【請求項２】
物理下りリンク共用チャネルを移動局装置に送信する基地局装置であって、
リソースエレメントを指示する情報を前記移動局装置に送信し、
前記物理下りリンク共用チャネルをスケジュールするために使用される所定の下りリンク制御情報フォーマットを送信する場合には、第１の条件および第２の条件を満たすリソースエレメントに前記物理下りリンク共用チャネルをマップし、
前記物理下りリンク共用チャネルをスケジュールするために使用される所定の下りリンク制御情報フォーマットとは異なる下りリンク制御情報フォーマットを送信する場合には、第２の条件を満たすリソースエレメントに前記物理下りリンク共用チャネルをマップし、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする基地局装置。
【請求項３】
物理下りリンク共用チャネルを移動局装置に送信する基地局装置であって、
リソースエレメントを指示する情報を前記移動局装置に送信し、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで送信する場合には、第１の条件および第２の条件を満たすリソースエレメントに前記物理下りリンク共用チャネルをマップし、
前記物理下りリンク共用チャネルをスケジュールするために使用される所定の下りリンク制御情報フォーマットを、コモンサーチスペースで送信する場合には、第２の条件を満たすリソースエレメントに前記物理下りリンク共用チャネルをマップし、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする基地局装置。
【請求項４】
前記第２の条件は、リソースエレメントがセルスペシフィック参照信号の送信に対して使用されないことを含む
ことを特徴とする請求項１から請求項３のいずれかに記載の基地局装置。
【請求項５】
物理下りリンク共用チャネルを基地局装置から受信する移動局装置であって、
リソースエレメントを指示する情報を前記基地局装置から受信し、
前記物理下りリンク共用チャネルをスケジュールするために使用される物理下りリンク制御チャネルをコモンサーチスペースおよび／またはユーザー装置スペシフィックサーチスペースでモニタし、
前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信し、
前記物理下りリンク制御チャネルをコモンサーチスペースで検出した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする移動局装置。
【請求項６】
物理下りリンク共用チャネルを基地局装置から受信する移動局装置であって、
リソースエレメントを指示する情報を前記基地局装置から受信し、
前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信し、
前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする移動局装置。
【請求項７】
物理下りリンク共用チャネルを基地局装置から受信する移動局装置であって、
リソースエレメントを指示する情報を前記基地局装置から受信し、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信し、
前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする移動局装置。
【請求項８】
前記第２の条件は、リソースエレメントがセルスペシフィック参照信号の送信に対して使用されないことを含む
ことを特徴とする請求項５から請求項７のいずれかに記載の移動局装置。
【請求項９】
物理下りリンク共用チャネルを移動局装置に送信する基地局装置の送信方法であって、
リソースエレメントを指示する情報を前記移動局装置に送信し、
前記物理下りリンク共用チャネルをスケジュールするために使用される物理下りリンク制御チャネルをコモンサーチスペースまたはユーザー装置スペシフィックサーチスペースで前記移動局装置に送信し、
前記物理下りリンク制御チャネルをユーザー装置スペシフィックサーチスペースで送信する場合には、第１の条件および第２の条件を満たすリソースエレメントに前記物理下りリンク共用チャネルをマップし、
前記物理下りリンク制御チャネルをコモンサーチスペースで送信する場合には、第２の条件を満たすリソースエレメントに前記物理下りリンク共用チャネルをマップし、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする送信方法。
【請求項１０】
物理下りリンク共用チャネルを移動局装置に送信する基地局装置の送信方法であって、
リソースエレメントを指示する情報を前記移動局装置に送信し、
前記物理下りリンク共用チャネルをスケジュールするために使用される所定の下りリンク制御情報フォーマットを送信する場合には、第１の条件および第２の条件を満たすリソースエレメントに前記物理下りリンク共用チャネルをマップし、
前記物理下りリンク共用チャネルをスケジュールするために使用される所定の下りリンク制御情報フォーマットとは異なる下りリンク制御情報フォーマットを送信する場合には、第２の条件を満たすリソースエレメントに前記物理下りリンク共用チャネルをマップし、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする送信方法。
【請求項１１】
物理下りリンク共用チャネルを移動局装置に送信する基地局装置の送信方法であって、
リソースエレメントを指示する情報を前記移動局装置に送信し、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで送信する場合には、第１の条件および第２の条件を満たすリソースエレメントに前記物理下りリンク共用チャネルをマップし、
前記物理下りリンク共用チャネルをスケジュールするために使用される所定の下りリンク制御情報フォーマットを、コモンサーチスペースで送信する場合には、第２の条件を満たすリソースエレメントに前記物理下りリンク共用チャネルをマップし、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする送信方法。
【請求項１２】
物理下りリンク共用チャネルを基地局装置から受信する移動局装置の送信方法であって、
リソースエレメントを指示する情報を前記基地局装置から受信し、
前記物理下りリンク共用チャネルをスケジュールするために使用される物理下りリンク制御チャネルをコモンサーチスペースおよび／またはユーザー装置スペシフィックサーチスペースでモニタし、
前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信し、
前記物理下りリンク制御チャネルをコモンサーチスペースで検出した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする送信方法。
【請求項１３】
物理下りリンク共用チャネルを基地局装置から受信する移動局装置の送信方法であって、
リソースエレメントを指示する情報を前記基地局装置から受信し、
前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信し、
前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする送信方法。
【請求項１４】
物理下りリンク共用チャネルを基地局装置から受信する移動局装置の送信方法であって、
リソースエレメントを指示する情報を前記基地局装置から受信し、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信し、
前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする送信方法。
【請求項１５】
物理下りリンク共用チャネルを移動局装置に送信する基地局装置に搭載される集積回路であって、
リソースエレメントを指示する情報を前記移動局装置に送信する機能と、
前記物理下りリンク共用チャネルをスケジュールするために使用される物理下りリンク制御チャネルをコモンサーチスペースまたはユーザー装置スペシフィックサーチスペースで前記移動局装置に送信する機能と、
前記物理下りリンク制御チャネルをユーザー装置スペシフィックサーチスペースで送信する場合には、第１の条件および第２の条件を満たすリソースエレメントに前記物理下りリンク共用チャネルをマップする機能と、
前記物理下りリンク制御チャネルをコモンサーチスペースで送信する場合には、第２の条件を満たすリソースエレメントに前記物理下りリンク共用チャネルをマップする機能と、を前記基地局装置へ発揮させ、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする集積回路。
【請求項１６】
物理下りリンク共用チャネルを移動局装置に送信する基地局装置に搭載される集積回路であって、
リソースエレメントを指示する情報を前記移動局装置に送信する機能と、
前記物理下りリンク共用チャネルをスケジュールするために使用される所定の下りリンク制御情報フォーマットを送信する場合には、第１の条件および第２の条件を満たすリソースエレメントに前記物理下りリンク共用チャネルをマップする機能と、
前記物理下りリンク共用チャネルをスケジュールするために使用される所定の下りリンク制御情報フォーマットとは異なる下りリンク制御情報フォーマットを送信する場合には、第２の条件を満たすリソースエレメントに前記物理下りリンク共用チャネルをマップする機能と、を前記基地局装置へ発揮させ、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする集積回路。
【請求項１７】
物理下りリンク共用チャネルを移動局装置に送信する基地局装置に搭載される集積回路であって、
リソースエレメントを指示する情報を前記移動局装置に送信する機能と、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで送信する場合には、第１の条件および第２の条件を満たすリソースエレメントに前記物理下りリンク共用チャネルをマップする機能と、
前記物理下りリンク共用チャネルをスケジュールするために使用される所定の下りリンク制御情報フォーマットを、コモンサーチスペースで送信する場合には、第２の条件を満たすリソースエレメントに前記物理下りリンク共用チャネルをマップする機能と、を前記基地局装置へ発揮させ、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする集積回路。
【請求項１８】
物理下りリンク共用チャネルを基地局装置から受信する移動局装置に搭載される集積回路であって、
リソースエレメントを指示する情報を前記基地局装置から受信する機能と、
前記物理下りリンク共用チャネルをスケジュールするために使用される物理下りリンク制御チャネルをコモンサーチスペースおよび／またはユーザー装置スペシフィックサーチスペースでモニタする機能と、
前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信する機能と、
前記物理下りリンク制御チャネルをコモンサーチスペースで検出した場合には、第２の条件を満たすリソースエレメントにマップされた前記物理下りリンク共用チャネルを前記基地局装置から受信する機能と、を前記移動局装置へ発揮させ、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする集積回路。
【請求項１９】
物理下りリンク共用チャネルを基地局装置から受信する移動局装置に搭載される集積回路であって、
リソースエレメントを指示する情報を前記基地局装置から受信する機能と、
前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信する機能と、
前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信する機能と、を前記移動局装置へ発揮させ、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする集積回路。
【請求項２０】
物理下りリンク共用チャネルを基地局装置から受信する移動局装置に搭載される集積回路であって、
リソースエレメントを指示する情報を前記基地局装置から受信する機能と、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信する機能と、
前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信する機能と、を前記移動局装置へ発揮させ、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする集積回路。
【請求項２１】
移動局装置が、物理下りリンク共用チャネルを基地局装置から受信する移動通信システムであって、
前記基地局装置は、
リソースエレメントを指示する情報を前記移動局装置へ送信し、
前記物理下りリンク共用チャネルをスケジュールするために使用される物理下りリンク制御チャネルをコモンサーチスペースまたはユーザー装置スペシフィックサーチスペースで前記移動局装置へ送信し、
前記移動局装置は、
前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信し、
前記物理下りリンク制御チャネルをコモンサーチスペースで検出した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする移動通信システム。
【請求項２２】
移動局装置が、物理下りリンク共用チャネルを基地局装置から受信する移動通信システムであって、
前記基地局装置は、
リソースエレメントを指示する情報を前記移動局装置へ送信し、
前記移動局装置は、
前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信し、
前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする移動通信システム。
【請求項２３】
移動局装置が、物理下りリンク共用チャネルを基地局装置から受信する移動通信システムであって、
前記基地局装置は、
リソースエレメントを指示する情報を前記移動局装置へ送信し、
前記移動局装置は、
前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信し、
前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信し、
前記第１の条件は、リソースエレメントが、前記基地局装置によって前記情報を使用して指示されるリソースエレメントではないことであり、
前記第２の条件は、少なくともリソースエレメントが前記物理下りリンク共用チャネルの送信のために割り当てられた物理リソースブロック内にあることを含む
ことを特徴とする移動通信システム。
【発明の詳細な説明】
【技術分野】
【０００１】
本発明は、基地局装置、移動局装置、通信方法、集積回路および無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および端末のそれぞれが、１つまたは複数の送受信アンテナを備えて、例えば、ＭＩＭＯ（Ｍｕｌｔｉｐｌｅ  Ｉｎｐｕｔ  Ｍｕｌｔｉｐｌｅ  Ｏｕｔｐｕｔ）技術を利用することによって、高速なデータ伝送を実現することができる。
【０００３】
ここで、無線通信システムにおいて、複数の端末が、同一の周波数、時間リソースを使用して空間多重を行うＭＵ−ＭＩＭＯ（Ｍｕｌｔｉｐｌｅ  Ｕｓｅｒ  ＭＩＭＯ）をサポートすることが検討されている。また、複数の基地局が互いに協調して干渉コーディネーションを行うＣｏＭＰ（Ｃｏｏｐｅｒａｔｉｖｅ  Ｍｕｌｔｉｐｏｉｎｔ）伝送方式をサポートすることが検討されている。例えば、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）における無線通信システムが検討されている。
【０００４】
このような無線通信システムにおいて、例えば、基地局と端末が、セルスペシフィック参照信号がマップされるリソースエレメントに基づいて、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）で、下りリンクデータを送受信することが提案されている（非特許文献１）。
【先行技術文献】
【非特許文献】
【０００５】
【非特許文献１】ＰＤＳＣＨ  ｍａｐｐｉｎｇ  ｉｓｓｕｅｓ  ｉｎ  ＣｏＭＰ；  ３ＧＰＰ  ＴＳＧ  ＲＡＮ  ＷＧ１  ｍｅｅｔｉｎｇ＃６９  Ｒ１−１２２６０３、Ｍａｙ  ２１ｔｈ−２５ｔｈ、２０１２.
【発明の概要】
【発明が解決しようとする課題】
【０００６】
しかしながら、上述のような無線通信システムにおいて、基地局と端末が、物理信号／物理チャネルがマップされるリソースエレメントに基づいて、下りリンクデータを送受信する際の具体的な手順に関する記載はなかった。
【０００７】
本発明は、上記問題を鑑みてなされたものであり、その目的は、基地局と端末が、物理信号／物理チャネルがマップされるリソースエレメントに基づいて、下りリンクデータを送受信し、効率的に通信することができる移動局装置、基地局装置、通信方法、集積回路および無線通信システムを提供する。
【課題を解決するための手段】
【０００８】
（１）上記の目的を達成するために、本発明は、以下のような手段を講じた。すなわち、本発明における基地局装置は、物理下りリンク共用チャネルを移動局装置に送信する基地局装置であって、リソースエレメントを指示する情報を前記移動局装置に送信し、前記物理下りリンク共用チャネルをスケジュールするために使用される物理下りリンク制御チャネルをコモンサーチスペースまたはユーザー装置スペシフィックサーチスペースで前記移動局装置に送信し、前記物理下りリンク制御チャネルをユーザー装置スペシフィックサーチスペースで送信する場合には、第１の条件および第２の条件を満たすリソースエレメントに前記物理下りリンク共用チャネルをマップし、前記物理下りリンク制御チャネルをコモンサーチスペースで送信する場合には、第２の条件を満たすリソースエレメントに前記物理下りリンク共用チャネルをマップし、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【０００９】
（２）また、物理下りリンク共用チャネルを移動局装置に送信する基地局装置であって、リソースエレメントを指示する情報を前記移動局装置に送信し、前記物理下りリンク共用チャネルをスケジュールするために使用される所定の下りリンク制御情報フォーマットを送信する場合には、第１の条件および第２の条件を満たすリソースエレメントに前記物理下りリンク共用チャネルをマップし、前記物理下りリンク共用チャネルをスケジュールするために使用される所定の下りリンク制御情報フォーマットとは異なる下りリンク制御情報フォーマットを送信する場合には、第２の条件を満たすリソースエレメントに前記物理下りリンク共用チャネルをマップし、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１０】
（３）また、物理下りリンク共用チャネルを移動局装置に送信する基地局装置であって、リソースエレメントを指示する情報を前記移動局装置に送信し、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで送信する場合には、第１の条件および第２の条件を満たすリソースエレメントに前記物理下りリンク共用チャネルをマップし、前記物理下りリンク共用チャネルをスケジュールするために使用される所定の下りリンク制御情報フォーマットを、コモンサーチスペースで送信する場合には、第２の条件を満たすリソースエレメントに前記物理下りリンク共用チャネルをマップし、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１１】
（４）また、物理下りリンク共用チャネルを基地局装置から受信する移動局装置であって、リソースエレメントを指示する情報を前記基地局装置から受信し、前記物理下りリンク共用チャネルをスケジュールするために使用される物理下りリンク制御チャネルをコモンサーチスペースおよび／またはユーザー装置スペシフィックサーチスペースでモニタし、前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信し、前記物理下りリンク制御チャネルをコモンサーチスペースで検出した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１２】
（５）また、物理下りリンク共用チャネルを基地局装置から受信する移動局装置であって、リソースエレメントを指示する情報を前記基地局装置から受信し、前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信し、前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１３】
（６）また、物理下りリンク共用チャネルを基地局装置から受信する移動局装置であって、リソースエレメントを指示する情報を前記基地局装置から受信し、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信し、前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１４】
（７）また、物理下りリンク共用チャネルを移動局装置に送信する基地局装置の送信方法であって、リソースエレメントを指示する情報を前記移動局装置に送信し、前記物理下りリンク共用チャネルをスケジュールするために使用される物理下りリンク制御チャネルをコモンサーチスペースまたはユーザー装置スペシフィックサーチスペースで前記移動局装置に送信し、前記物理下りリンク制御チャネルをユーザー装置スペシフィックサーチスペースで送信する場合には、第１の条件および第２の条件を満たすリソースエレメントに前記物理下りリンク共用チャネルをマップし、前記物理下りリンク制御チャネルをコモンサーチスペースで送信する場合には、第２の条件を満たすリソースエレメントに前記物理下りリンク共用チャネルをマップし、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１５】
（８）また、物理下りリンク共用チャネルを移動局装置に送信する基地局装置の送信方法であって、リソースエレメントを指示する情報を前記移動局装置に送信し、前記物理下りリンク共用チャネルをスケジュールするために使用される所定の下りリンク制御情報フォーマットを送信する場合には、第１の条件および第２の条件を満たすリソースエレメントに前記物理下りリンク共用チャネルをマップし、前記物理下りリンク共用チャネルをスケジュールするために使用される所定の下りリンク制御情報フォーマットとは異なる下りリンク制御情報フォーマットを送信する場合には、第２の条件を満たすリソースエレメントに前記物理下りリンク共用チャネルをマップし、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１６】
（９）また、物理下りリンク共用チャネルを移動局装置に送信する基地局装置の送信方法であって、リソースエレメントを指示する情報を前記移動局装置に送信し、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで送信する場合には、第１の条件および第２の条件を満たすリソースエレメントに前記物理下りリンク共用チャネルをマップし、前記物理下りリンク共用チャネルをスケジュールするために使用される所定の下りリンク制御情報フォーマットを、コモンサーチスペースで送信する場合には、第２の条件を満たすリソースエレメントに前記物理下りリンク共用チャネルをマップし、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１７】
（１０）また、物理下りリンク共用チャネルを基地局装置から受信する移動局装置の送信方法であって、リソースエレメントを指示する情報を前記基地局装置から受信し、前記物理下りリンク共用チャネルをスケジュールするために使用される物理下りリンク制御チャネルをコモンサーチスペースおよび／またはユーザー装置スペシフィックサーチスペースでモニタし、前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信し、前記物理下りリンク制御チャネルをコモンサーチスペースで検出した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１８】
（１１）また、物理下りリンク共用チャネルを基地局装置から受信する移動局装置の送信方法であって、リソースエレメントを指示する情報を前記基地局装置から受信し、前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信し、前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００１９】
（１２）また、物理下りリンク共用チャネルを基地局装置から受信する移動局装置の送信方法であって、リソースエレメントを指示する情報を前記基地局装置から受信し、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信し、前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２０】
（１３）また、物理下りリンク共用チャネルを移動局装置に送信する基地局装置に搭載される集積回路であって、リソースエレメントを指示する情報を前記移動局装置に送信する機能と、前記物理下りリンク共用チャネルをスケジュールするために使用される物理下りリンク制御チャネルをコモンサーチスペースまたはユーザー装置スペシフィックサーチスペースで前記移動局装置に送信する機能と、前記物理下りリンク制御チャネルをユーザー装置スペシフィックサーチスペースで送信する場合には、第１の条件および第２の条件を満たすリソースエレメントに前記物理下りリンク共用チャネルをマップする機能と、前記物理下りリンク制御チャネルをコモンサーチスペースで送信する場合には、第２の条件を満たすリソースエレメントに前記物理下りリンク共用チャネルをマップする機能と、を前記基地局装置へ発揮させ、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２１】
（１４）また、物理下りリンク共用チャネルを移動局装置に送信する基地局装置に搭載される集積回路であって、リソースエレメントを指示する情報を前記移動局装置に送信する機能と、前記物理下りリンク共用チャネルをスケジュールするために使用される所定の下りリンク制御情報フォーマットを送信する場合には、第１の条件および第２の条件を満たすリソースエレメントに前記物理下りリンク共用チャネルをマップする機能と、前記物理下りリンク共用チャネルをスケジュールするために使用される所定の下りリンク制御情報フォーマットとは異なる下りリンク制御情報フォーマットを送信する場合には、第２の条件を満たすリソースエレメントに前記物理下りリンク共用チャネルをマップする機能と、を前記基地局装置へ発揮させ、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２２】
（１５）また、物理下りリンク共用チャネルを移動局装置に送信する基地局装置に搭載される集積回路であって、リソースエレメントを指示する情報を前記移動局装置に送信する機能と、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで送信する場合には、第１の条件および第２の条件を満たすリソースエレメントに前記物理下りリンク共用チャネルをマップする機能と、前記物理下りリンク共用チャネルをスケジュールするために使用される所定の下りリンク制御情報フォーマットを、コモンサーチスペースで送信する場合には、第２の条件を満たすリソースエレメントに前記物理下りリンク共用チャネルをマップする機能と、を前記基地局装置へ発揮させ、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２３】
（１６）また、物理下りリンク共用チャネルを基地局装置から受信する移動局装置に搭載される集積回路であって、リソースエレメントを指示する情報を前記基地局装置から受信する機能と、前記物理下りリンク共用チャネルをスケジュールするために使用される物理下りリンク制御チャネルをコモンサーチスペースおよび／またはユーザー装置スペシフィックサーチスペースでモニタする機能と、前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信する機能と、前記物理下りリンク制御チャネルをコモンサーチスペースで検出した場合には、第２の条件を満たすリソースエレメントにマップされた前記物理下りリンク共用チャネルを前記基地局装置から受信する機能と、を前記移動局装置へ発揮させ、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２４】
（１７）また、物理下りリンク共用チャネルを基地局装置から受信する移動局装置に搭載される集積回路であって、リソースエレメントを指示する情報を前記基地局装置から受信する機能と、前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信する機能と、前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信する機能と、を前記移動局装置へ発揮させ、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２５】
（１８）また、物理下りリンク共用チャネルを基地局装置から受信する移動局装置に搭載される集積回路であって、リソースエレメントを指示する情報を前記基地局装置から受信する機能と、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信する機能と、前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信する機能と、を前記移動局装置へ発揮させ、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２６】
（１９）また、移動局装置が、物理下りリンク共用チャネルを基地局装置から受信する移動通信システムであって、前記基地局装置は、リソースエレメントを指示する情報を前記移動局装置へ送信し、前記物理下りリンク共用チャネルをスケジュールするために使用される物理下りリンク制御チャネルをコモンサーチスペースまたはユーザー装置スペシフィックサーチスペースで前記移動局装置へ送信し、前記移動局装置は、前記物理下りリンク制御チャネルをユーザー装置スペシフィックサーチスペースで検出した場合には、第１の条件および第２の条件を満たすリソースエレメントにマップされた前記物理下りリンク共用チャネルを前記基地局装置から受信し、前記物理下りリンク制御チャネルをコモンサーチスペースで検出した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２７】
（２０）また、移動局装置が、物理下りリンク共用チャネルを基地局装置から受信する移動通信システムであって、前記基地局装置は、リソースエレメントを指示する情報を前記移動局装置へ送信し、前記移動局装置は、前記物理下りリンク共用チャネルをスケジュールするために使用される所定の下りリンク制御情報フォーマットを受信した場合には、第１の条件および第２の条件を満たすリソースエレメントにマップされた前記物理下りリンク共用チャネルを前記基地局装置から受信し、前記物理下りリンク共用チャネルをスケジュールするために使用される所定の下りリンク制御情報フォーマットとは異なる下りリンク制御情報フォーマットを受信した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【００２８】
（２１）また、移動局装置が、物理下りリンク共用チャネルを基地局装置から受信する移動通信システムであって、前記基地局装置は、リソースエレメントを指示する情報を前記移動局装置へ送信し、前記移動局装置は、前記物理下りリンク共用チャネルをスケジュールするために使用される所定の下りリンク制御情報フォーマットまたは所定の下りリンク制御情報フォーマットとは異なる下りリンク制御情報フォーマットを、ユーザー装置スペシフィックサーチスペースで受信した場合には、第１の条件および第２の条件を満たすリソースエレメントにマップされた前記物理下りリンク共用チャネルを前記基地局装置から受信し、前記物理下りリンク共用チャネルをスケジュールするために使用される所定の下りリンク制御情報フォーマットを、コモンサーチスペースで受信した場合には、第２の条件を満たすリソースエレメントにマップされた前記物理下りリンク共用チャネルを前記基地局装置から受信し、前記第１の条件は、リソースエレメントが、前記基地局装置によって前記情報を使用して指示されるリソースエレメントではないことであり、前記第２の条件は、少なくともリソースエレメントが前記物理下りリンク共用チャネルの送信のために割り当てられた物理リソースブロック内にあることを含むことを特徴としている。
【発明の効果】
【００２９】
本発明によれば、基地局と端末が、物理信号／物理チャネルがマップされるリソースエレメントに基づいて、下りリンクデータを送受信し、効率的に通信することができる。
【図面の簡単な説明】
【００３０】
【図１】本実施形態に係る基地局の構成を示す概略ブロック図である。
【図２】本実施形態に係る端末の構成を示す概略ブロック図である。
【図３】本実施形態に係る無線通信システムの一例を示す概略図である。
【図４】物理下りリンクチャネルのマッピングの一例を示す図である。
【図５】物理下りリンク共用チャネルと下りリンクの参照信号のマッピングの一例を示す図である。
【図６】物理下りリンク共用チャネルと下りリンクの参照信号のマッピングの一例を示す別の図である。
【図７】物理下りリンク共用チャネルと下りリンクの参照信号のマッピングの一例を示す別の図である。
【図８】物理下りリンク共用チャネルと下りリンクの参照信号のマッピングの一例を示す別の図である。
【図９】本実施形態に係る処理フローの一例を示す図である。
【図１０】本実施形態に係る処理フローの一例を示す別の図である。
【発明を実施するための形態】
【００３１】
以下、本発明の実施形態について説明する。本発明の実施形態における無線通信システムは、基地局装置（基地局、送信装置、セル、サービングセル、送信局、送信点、送信アンテナ群、送信アンテナポート群、ｅＮｏｄｅＢとも呼称される）として、プライマリ基地局（マクロ基地局、第１の基地局、第１の通信装置、サービング基地局、アンカー基地局、プライマリセルとも呼称される）およびセカンダリ基地局（ＲＲＨ、ピコ基地局、フェムト基地局、Ｈｏｍｅ  ｅＮｏｄｅＢ、第２の基地局装置、第２の通信装置、協調基地局群、協調基地局セット、協調基地局、セカンダリセルとも呼称される）を備える。また、移動局装置（端末、端末装置、移動端末、受信装置、受信点、受信端末、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００３２】
ここで、例えば、プライマリ基地局とセカンダリ基地局に、ヘテロジーニアスネットワーク配置が適用され、セカンダリ基地局のカバレッジの一部または全てが、プライマリ基地局のカバレッジに含まれても良い。また、セカンダリ基地局は、複数のセカンダリ基地局であっても良い。
【００３３】
図１は、本実施形態に係る基地局の構成を示す概略ブロック図である。ここで、図１に示される基地局１００には、プライマリ基地局やセカンダリ基地局が含まれる。基地局１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成する。ここで、基地局１００を構成する各部を、ユニットとも呼称する。
【００３４】
データ制御部１０１は、スケジューリング部１０４からトランスポートチャネルを受信する。データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【００３５】
また、データ制御部１０１は、物理信号／物理チャネルがマップされるリソースエレメントに基づいて、リソースエレメントにＰＤＳＣＨをマップする。例えば、データ制御部１０１は、物理レイヤセルアイデンティティから決定されるセルスペシフィック参照信号の位置に基づいてレートマッチングを行う。また、データ制御部１０１は、端末へ指定したセルスペシフィック参照信号の位置に基づいてレートマッチングを行う。
【００３６】
送信データ変調部１０２は、送信データを変調／符号化する。送信データ変調部１０２は、データ制御部１０１から入力されたデータに対して、スケジューリング部１０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行ない、送信データを生成して、無線部１０３へ出力する。
【００３７】
無線部１０３は、送信データ変調部１０２から入力された送信データを無線周波数にアップコンバートして無線信号を生成し、アンテナ１０９を介して、端末に送信する。また、無線部１０３は、端末から受信した無線信号を、アンテナ１０９を介して受信し、ベースバンド信号にダウンコンバートして、受信データをチャネル推定部１０５と受信データ復調部１０６とに出力する。
【００３８】
スケジューリング部１０４は、論理チャネルとトランスポートチャネルのマッピング、下りリンクおよび上りリンクのスケジューリングなどを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００３９】
また、スケジューリング部１０４は、下りリンクのスケジューリングでは、端末から受信した上りリンク制御情報や上位層１０８から入力されたスケジューリング情報などに基づいて、トランスポートチャネルおよび物理チャネルにおける送信制御やスケジューリング情報の生成を行なう。これら下りリンクのスケジューリングに使用されるスケジューリング情報は、データ制御部１０１へ出力される。
【００４０】
また、スケジューリング部１０４は、上りリンクのスケジューリングでは、チャネル推定部１０５が出力する上りリンクのチャネル状態や上位層１０８から入力されたスケジューリング情報などに基づいて、スケジューリング情報の生成を行なう。これら上りリンクのスケジューリングに使用されるスケジューリング情報は、データ制御部１０１へ出力される。
【００４１】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクのトランスポートチャネルと制御データを、必要に応じて処理した後に、上りリンクの論理チャネルにマッピングし、上位層１０８へ出力する。
【００４２】
チャネル推定部１０５は、上りリンクで送信される信号を復調するために、上りリンクの参照信号（例えば、復調用参照信号）から上りリンクのチャネル状態を推定し、受信データ復調部１０６に出力する。また、上りリンクのスケジューリングを行なうために、上りリンクの参照信号（例えば、サウンディング参照信号）から上りリンクのチャネル状態を推定し、スケジューリング部１０４に出力する。
【００４３】
受信データ復調部１０６は、受信データを復調する。受信データ復調部１０６は、チャネル推定部１０５から入力された上りリンクのチャネル状態の推定結果に基づいて、無線部１０３から入力された変調データに対し、ＤＦＴ変換、サブキャリアマッピング、ＩＦＦＴ変換などの信号処理を行なって、復調処理を施し、データ抽出部１０７に出力する。
【００４４】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力されたデータから、トランスポートチャネルと物理層の制御データとに分離して、スケジューリング部１０４に出力する。
【００４５】
上位層１０８は、無線リソース制御（ＲＲＣ；Ｒａｄｉｏ  Ｒｅｓｏｕｒｃｅ  Ｃｏｎｔｒｏｌ）層の処理やＭＡＣ（Ｍｅｄｉａｍ  Ａｃｃｅｓｓ  Ｃｏｎｔｒｏｌ）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００４６】
図２は、本実施形態に係る端末の構成を示す概略ブロック図である。端末２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成される。また、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。ここで、端末２００を構成する各部を、ユニットとも呼称する。
【００４７】
データ制御部２０１は、スケジューリング部２０４からトランスポートチャネルを受信する。また、データ制御部２０１は、トランスポートチャネルと物理層で生成される信号を、スケジューリング部２０４から入力されるスケジューリング情報に基づいて、物理チャネルにマッピングする。マッピングされた各データは、送信データ変調部２０２へ出力される。
【００４８】
送信データ変調部２０２は、送信データを変調／符号化する。送信データ変調部２０２は、データ制御部２０１から入力されたデータに対して、変調／符号化、入力信号の直列／並列変換、ＩＦＦＴ処理、ＣＰ挿入などの信号処理を行ない、送信データを生成して、無線部２０３へ出力する。
【００４９】
無線部２０３は、送信データ変調部２０２から入力された送信データを無線周波数にアップコンバートして無線信号を生成し、アンテナ２０９を介して、基地局に送信する。また、無線部２０３は、基地局から受信した無線信号を、アンテナ２０９を介して受信し、ベースバンド信号にダウンコンバートして、受信データを、チャネル推定部２０５および受信データ復調部２０６に出力する。
【００５０】
スケジューリング部２０４は、論理チャネルとトランスポートチャネルのマッピング、下りリンクおよび上りリンクのスケジューリングなどを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００５１】
また、スケジューリング部２０４は、基地局から受信した下りリンク制御情報や上位層２０８から入力されたスケジューリング情報などに基づいて、トランスポートチャネルおよび物理チャネルにおける受信制御やスケジューリング情報の生成を行なう。これら下りリンクのスケジューリングに使用されるスケジューリング情報は、データ制御部２０１へ出力される。
【００５２】
また、スケジューリング部２０４は、基地局から受信した下りリンク制御情報や上位層２０８から入力されたスケジューリング情報などに基づいて、上位層２０８から入力された上りリンクの論理チャネルをトランスポートチャネルにマッピングするためのスケジューリング処理、および、上りリンクのスケジューリングに使用されるスケジューリング情報の生成を行なう。これらスケジューリング情報は、データ制御部２０１へ出力される。
【００５３】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Ｃｙｃｌｉｃ  Ｒｅｄｕｎｄａｎｃｙ  Ｃｈｅｃｋ；巡回冗長検査）パリティビット（単に、ＣＲＣとも呼称される）の確認結果についても、データ制御部２０１へ出力する。
【００５４】
チャネル推定部２０５は、下りリンクで送信された信号を復調するために、下りリンクの参照信号から下りリンクのチャネル状態を推定し、受信データ復調部２０６に出力する。また、受信データ復調部２０６は、無線部２０３から入力された受信データを復調し、データ抽出部２０７に出力する。
【００５５】
また、受信データ復調部２０６は、物理信号／物理チャネルがマップされるリソースエレメントに基づいて、リソースエレメントにマップされたＰＤＳＣＨを受信する（リソースエレメントからＰＤＳＣＨをデマップするとも記載される）。例えば、受信データ復調部２０６は、物理レイヤセルアイデンティティから決定されるセルスペシフィック参照信号の位置に基づいてレートマッチングが行われたことを想定して、下りリンクデータを受信する。また、受信データ復調部２０６は、基地局によって指定されたセルスペシフィック参照信号の位置またはリソースエレメントに基づいてレートマッチングが行われたことを想定して、下りリンクデータを受信する。
【００５６】
データ抽出部２０７は、受信データ復調部２０６から入力された受信データに対して、正誤を確認するとともに、確認結果（例えば、ＡＣＫまたはＮＡＣＫ）をスケジューリング部２０４に出力する。また、データ抽出部２０７は、受信データ復調部２０６から入力された受信データからトランスポートチャネルと物理層の制御データに分離して、スケジューリング部２０４に出力する。
【００５７】
上位層２０８は、無線リソース制御層の処理やＭＡＣ層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００５８】
図３は、本実施形態に係る無線通信システムの一例を示す概略図である。図３において、例えば、端末３０３は、プライマリ基地局３０１またはセカンダリ基地局３０２と、シングルセル通信を行うことができる。また、端末３０３は、プライマリ基地局３０１および／またはセカンダリ基地局３０２と、マルチセル通信を行うことができる。
【００５９】
ここで、シングルセル通信とは、単一の基地局が、下りリンクの情報（下りリンクの信号）を端末へ送信することを示している。例えば、端末３０３は、プライマリ基地局３０１から下りリンク３０４で送信される下りリンクの情報を、あるサブフレームで受信することができる。また、端末３０３は、セカンダリ基地局３０２から下りリンク３０５で送信される下りリンクの情報を、別のあるサブフレームで受信することができる。
【００６０】
また、マルチセル通信とは、複数の基地局が互いに協調して、下りリンクの情報を端末へ送信することを示している。例えば、端末３０３は、プライマリ基地局３０１から下りリンク３０４で送信される下りリンクの情報、および、セカンダリ基地局３０２から下りリンク３０５で送信される下りリンクの情報を、同一サブフレームで受信することができる。
【００６１】
また、例えば、端末３０３は、後述する動的ポイント選択のように、プライマリ基地局３０１から下りリンク３０４で送信される下りリンクの情報、または、セカンダリ基地局３０２から下りリンク３０５で送信される下りリンクの情報を、同一サブフレームで受信することができる。動的ポイント選択を行うマルチセル通信では、端末３０３は、いずれの基地局（送信ポイント）から下りリンクの情報が送信されているかを認識しなくても受信処理を行うことができる。
【００６２】
例えば、マルチセル通信には、ＣｏＭＰ伝送方式が含まれる。より具体的には、複数の基地局から、同一の下りリンクの情報が送信されるジョイント送信（ＪＴ；Ｊｏｉｎｔ  ｔｒａｎｓｍｉｓｓｉｏｎ、Ｊｏｉｎｔ  ｐｒｏｃｅｓｓｉｎｇ）が含まれる。また、下りリンクの情報を送信する基地局が動的に切り替わる動的ポイント選択（ＤＰＳ；Ｄｙｎａｍｉｃ  ｐｏｉｎｔ  ｓｅｌｅｃｔｉｏｎ）が含まれる。また、基地局間で協調してビームフォーミングを行うことによって、互いに干渉を低減させる協調ビームフォーミング（ＣＢ；Ｃｏｏｒｄｉｎａｔｅｄ  Ｂｅａｍｆｏｒｍｉｎｇ）が含まれる。また、基地局間で協調してスケジューリングを行うことによって、互いに干渉を低減させる協調スケジューリング（ＣＳ；Ｃｏｏｒｄｉｎａｔｅｄ  Ｓｃｈｅｄｕｌｉｎｇ）が含まれる。
【００６３】
ここで、例えば、マルチセル通信として、ジョイント送信が使用された場合、端末３０３は、下りリンク３０４で送信される下りリンクの情報、および、下りリンク３０５で送信される下りリンクの情報を、あるサブフレームで受信する。また、マルチセル通信として、動的ポイント選択が使用された場合、端末３０３は、下りリンク３０４で送信される下りリンクの情報、または、下りリンク３０５で送信される下りリンクの情報を、あるサブフレームで受信する。
【００６４】
また、基地局間の通信（例えば、マルチセル通信やシングルセル通信を行うための制御情報のやり取りなど）は、回線３０６を通じて行われる。例えば、回線３０６には、光ファイバ等の有線回線や、リレー等の無線回線が使用される。
【００６５】
ここで、プライマリ基地局３０１およびセカンダリ基地局３０２に対して、異なる物理レイヤセルアイデンティティ（ＰＣＩ；Ｐｈｙｓｉｃａｌ  ｌａｙｅｒ  Ｃｅｌｌ  Ｉｄｅｎｔｉｔｙ、物理レイヤセル識別子とも呼称される）が設定されても良い。また、プライマリ基地局３０１およびセカンダリ基地局３０２の全てまたは一部に対して、同一の物理レイヤセルアイデンティティが設定されても良い。
【００６６】
ここで、下りリンクの情報には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ））が含まれる。また、下りリンクの情報には、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）に関する情報（マルチキャストチャネル（ＭＣＨ；Ｍｕｌｔｉｃａｓｅｔ  Ｃｈａｎｎｅｌ））が含まれる。また、下りリンクの情報には、下りリンク制御情報（ＤＣＩ；Ｄｏｗｎｌｉｎｋ  Ｃｏｎｔｒｏｌ  Ｉｎｆｏｒｍａｔｉｏｎ）が含まれる。
【００６７】
ここで、ＤＬ−ＳＣＨおよびＭＣＨは、トランスポートチャネルである。また、媒体アクセス制御（ＭＡＣ；Ｍｅｄｉｕｍ  Ａｃｃｅｓｓ  Ｃｏｎｔｒｏｌ）層で使用されるチャネルを、トランスポートチャネルと呼称する。また、ＭＡＣ層で用いられるトランスポートチャネルの単位を、トランスポートブロック（Ｔｒａｎｓｐｏｒｔ  Ｂｌｏｃｋ）とも呼称する。
【００６８】
また、ＤＬ−ＳＣＨは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、ＰＤＳＣＨは、下りリンクデータを送信するために使用される。
【００６９】
また、ＭＣＨは、物理マルチキャストチャネル（ＰＭＣＨ；Ｐｈｙｓｉｃａｌ  Ｍｕｌｔｉｃａｓｅｔ  Ｃｈａｎｎｅｌ）にマップされる。すなわち、ＰＭＣＨは、ＭＢＭＳに関する情報を送信するために使用される。
【００７０】
また、下りリンク制御情報は、物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）にマップされる。すなわち、ＰＤＣＣＨは、下りリンク制御情報を送信するために使用される。
【００７１】
また、下りリンク制御情報は、エンハンスト物理下りリンク制御チャネル（Ｅ−ＰＤＣＣＨ；Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、強化されたＰＤＣＣＨ）にマップされても良い。すなわち、Ｅ−ＰＤＣＣＨは、下りリンク制御情報を送信するために使用される。
【００７２】
ここで、基地局は、下りリンクの情報を端末へ送信する場合、基地局と端末との間において既知の信号である下りリンクの参照信号（ＤＲＳ；Ｄｏｗｎｌｉｎｋ  Ｒｅｆｅｒｅｎｃｅ  Ｓｉｇｎａｌｓ）を多重して送信する。例えば、下りリンクの参照信号として、下記に示す４つのタイプが定義される。ここで、下りリンクの参照信号は、物理信号である。
【００７３】
例えば、下りリンクの参照信号として、セルスペシフィック参照信号（ＣＲＳ；Ｃｅｌｌ−ｓｐｅｃｉｆｉｃ  Ｒｅｆｅｒｅｎｃｅ  Ｓｉｇｎａｌｓ、セル固有参照信号とも呼称される）が定義される。ここで、セルスペシフィック参照信号は、共通参照信号（ＣＲＳ；Ｃｏｍｍｏｎ  Ｒｅｆｅｒｅｎｃｅ  Ｓｉｇｎａｌｓ）とも呼称される。
【００７４】
例えば、セルスペシフィック参照信号は、端末が、下りリンクの周波数領域および時間領域の同期を取るために使用される。また、セルスペシフィック参照信号は、ＰＤＣＣＨに対する伝播路補正を行うために使用される。また、セルスペシフィック参照信号は、ＰＤＳＣＨに対する伝播路補正を行うために使用される。また、セルスペシフィック参照信号は、端末が、下りリンクのチャネル状態情報を算出するために使用される。
【００７５】
また、セルスペシフィック参照信号は、複数の端末を対象として送信される。また、セルスペシフィック参照信号は、下りリンクにおいて全帯域に渡って送信される。また、セルスペシフィック参照信号は、ＰＤＳＣＨの送信をサポートする全ての下りリンクサブフレームで送信される。
【００７６】
さらに、下りリンクの参照信号として、ユーザー装置スペシフィック参照信号（ＵＲＳ；Ｕｓｅｒ  Ｅｑｕｉｐｍｅｎｔ−ｓｐｅｃｉｆｉｃ  Ｒｅｆｅｒｅｎｃｅ  Ｓｉｇｎａｌｓ、端末固有参照信号とも呼称される）が定義される。ここで、ユーザー装置スペシフィック参照信号は、復調用参照信号（ＤＭＲＳ；Ｄｅｍｏｄｕｌａｔｉｏｎ  Ｒｅｆｅｒｅｎｃｅ  Ｓｉｇｎａｌ）とも呼称される。
【００７７】
例えば、ユーザー装置スペシフィック参照信号は、端末が、Ｅ−ＰＤＣＣＨに対する伝播路補正を行うために使用される。また、ユーザー装置スペシフィック参照信号は、端末が、ＰＤＳＣＨに対する伝播路補正を行うために使用される。また、ユーザー装置スペシフィック参照信号は、ある特定の端末を対象として送信される。また、ユーザー装置スペシフィック参照信号は、対応する端末を対象とするＰＤＳＣＨの送信に使用されるリソースブロックのみにおいて送信される。
【００７８】
ここで、Ｅ−ＰＤＣＣＨに関連付けられるユーザー装置スペシフィック参照信号と、ＰＤＳＣＨに関連付けられるユーザー装置スペシフィック参照信号とは、異なってもよい。例えば、Ｅ−ＰＤＣＣＨに関連付けられるユーザー装置スペシフィック参照信号で用いられるアンテナポートと、ＰＤＳＣＨに関連付けられるユーザー装置スペシフィック参照信号で用いられるアンテナポートとが、異なることができる。
【００７９】
さらに、下りリンクの参照信号として、ＭＢＳＦＮ参照信号（ＭＢＳＦＮ  ＲＳ；Ｍｕｌｔｉｃａｓｔ／Ｂｒｏａｄｃａｓｔ  ｏｖｅｒ  Ｓｉｇｎａｌ  Ｆｒｅｑｕｅｎｃｙ  Ｎｅｔｗｏｒｋ  Ｒｅｆｅｒｅｎｃｅ  Ｓｉｇｎａｌｓ）が定義される。
【００８０】
例えば、ＭＢＳＦＮ参照信号は、端末が、ＰＭＣＨに対する伝播路補正を行うために使用される。また、ＭＢＳＦＮ参照信号は、複数の端末を対象として送信される。また、ＭＢＳＦＮ参照信号は、下りリンクにおいて全帯域に渡って送信される。また、ＭＢＳＦＮ参照信号は、基地局によって上位層の信号を使用してＭＢＳＦＮサブフレームとして設定されたサブフレームで送信される。
【００８１】
すなわち、基地局は、無線フレーム内の下りリンクサブフレームのサブセットを、ＭＢＳＦＮサブフレームとして設定することができる。ここで、ＭＢＳＦＮサブフレームは、ＭＢＳＦＮサブフレームのためにリザーブされるサブフレームを示している。例えば、ＭＢＳＦＮサブフレームは、基地局によって上位層の信号を使用して送信されるパラメータ（以下、ＭＢＳＦＮサブフレームに関する情報とも記載する）に基づいて、サービングセル毎に指示される。
【００８２】
ここで、無線フレーム内のＭＢＳＦＮサブフレームとして設定されなかった下りリンクサブフレームは、ｎｏｎ−ＭＢＳＦＮサブフレームまたはユニキャストサブフレームと呼称される。
【００８３】
例えば、基地局は、ｎｏｎ−ＭＢＳＦＮサブフレームにおいて、ＰＤＳＣＨでの送信を行うことができ、ＰＭＣＨでの送信を行うことができない。また、基地局は、ＭＢＳＦＮサブフレームにおいて、ＰＤＳＣＨでの送信またはＰＭＣＨでの送信を行うことができる。端末は、ＰＭＣＨをデコードすることを上位層の信号を使用して指示されたサブフレーム以外のＭＢＳＦＮサブフレームにおいて、ＰＤＳＣＨをデコードする。
【００８４】
また、ＭＢＳＦＮサブフレームのそれぞれは、ｎｏｎ−ＭＢＳＦＮ領域とＭＢＳＦＮ領域に分割される。例えば、ｎｏｎ−ＭＢＳＦＮ領域は、ＭＢＳＦＮサブフレーム内の最初の１つまたは２つのＯＦＤＭシンボルから構成される。また、ＭＢＳＦＮ領域は、ＭＢＳＦＮサブフレーム内のｎｏｎ−ＭＢＳＦＮ領域として使用されないＯＦＤＭシンボルから構成される。
【００８５】
ここで、ｎｏｎ−ＭＢＳＦＮ領域は、ＭＢＳＦＮのために予約されていない領域である。また、ＭＢＳＦＮ領域は、ＭＢＳＦＮのために予約されている領域である。すなわち、ＰＭＣＨは、あるＭＢＳＦＮサブフレームにおけるＭＢＳＦＮ領域でのみ送信される。また、ＰＤＳＣＨは、あるＭＢＳＦＮサブフレームにおけるＭＢＳＦＮ領域でのみ送信される。
【００８６】
さらに、下りリンクの参照信号として、チャネル状態情報参照信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）が定義される。
【００８７】
例えば、チャネル状態情報参照信号は、端末が、下りリンクのチャネル状態情報を算出するために使用される。ここで、チャネル状態情報参照信号は、基地局によって設定された帯域のみにおいて送信される。
【００８８】
さらに、図３において、下りリンクと上りリンクにおいて、複数のサービングセル（単に、セルとも呼称される）の集約がサポートされる（キャリアアグリゲーション（ＣＡ；Ｃａｒｒｉｅｒ  Ａｇｇｒｅｇａｔｉｏｎ）、または、セルアグリゲーション（ＣＡ；Ｃｅｌｌ  Ａｇｇｒｅｇａｔｉｏｎ）と呼称される）。ここで、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００８９】
ここで、サービングセルは、ＣＡが設定されてない端末に対して、プライマリセルから成る１つのサービングセル（セル）として定義されても良い。また、サービングセルは、ＣＡが設定された端末に対して、プライマリセルとセカンダリセルから成る（１つまたは）複数のセービングセル（セル）のセットとして定義されても良い。
【００９０】
ここで、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００９１】
また、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００９２】
例えば、プライマリセルは、端末が、初期コネクション確立（ｉｎｉｔｉａｌ  ｃｏｎｎｅｃｔｉｏｎ  ｅｓｔａｂｌｉｓｈｍｅｎｔ）プロシージャを行うセルとして定義される。また、プライマリセルは、端末が、コネクション再確立（ｃｏｎｎｅｃｔｉｏｎ  ｒｅ−ｅｓｔａｂｌｉｓｈｍｅｎｔ）プロシージャを開始するセルとして定義される。また、プライマリセルは、ハンドオーバプロシージャ中に、基地局によってプライマリセルとして指示されるセルとして定義される。
【００９３】
すなわち、基地局と端末は、あるサブフレームにおいて、複数の物理チャネルでの送受信を行うことができる。ここで、物理チャネルのそれぞれは、いずれか１つのサービングセルにマップされる。すなわち、単一の物理チャネルは、複数のサービングセルにマップされない。
【００９４】
図４は、物理下りリンクチャネルのマッピングの一例を示す図である。図４には、ＰＤＣＣＨのリソース領域、Ｅ−ＰＤＣＣＨのリソース領域、ＰＤＳＣＨのリソース領域、ＰＭＣＨのリソース領域が示されている。また、コモンサーチスペース（ＣＳＳ；Ｃｏｍｍｏｎ  Ｓｅａｒｃｈ  Ｓｐａｃｅ、共通サーチスペース）、ユーザー装置スペシフィックサーチスペース（ＵＳＳ；ＵＥ−Ｓｐｅｃｉｆｉｃ  Ｓｅａｃｈ  Ｓｐａｃｅ、端末固有のサーチスペース）が示されている。
【００９５】
図４に示すように、ＰＤＳＣＨは、ｎｏｎ−ＭＢＳＦＮサブフレームにおいて、ＰＤＣＣＨがマップされないＯＦＤＭシンボル（ＯＦＤＭシンボルのリソースエレメントでも良い）にマップされる。また、ＰＤＳＣＨは、ＭＢＳＦＮサブフレームにおいて、ＰＤＣＣＨがマップされないＯＦＤＭシンボルにマップされる。
【００９６】
また、ＰＭＣＨは、ＭＢＳＦＮサブフレームにおけるＭＢＳＦＮ領域にマップされる。ここで、あるサブフレームにおいて、単一のＰＭＣＨが送信される。
【００９７】
例えば、ＰＤＣＣＨは、ｎｏｎ−ＭＢＳＦＮサブフレームにおいて、０番と１番と２番のＯＦＤＭシンボルにマップされる。また、例えば、ＰＤＣＣＨは、ＭＢＳＦＮサブフレームにおいて、０番と１番のＯＦＤＭシンボルにマップされる。ここで、ＰＤＣＣＨは、ＰＤＳＣＨと時間分割多重（ＴＤＭ；Ｔｉｍｅ  Ｄｉｖｉｓｉｏｎ  Ｍｕｌｔｉｐｌｅｘ）されることができる。
【００９８】
ここで、基地局は、あるサブフレームにおいて、ＰＤＣＣＨの送信に対して使用されるＯＦＤＭシンボルに関する情報を、物理制御フォーマット指示チャネル（ＰＣＦＩＣＨ；Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）を使用して、端末へ指示することができる。また、ＰＤＣＣＨは、セルスペシフィック参照信号の送信に用いられるアンテナポートと、同じアンテナポートを使用して送信されても良い。  
【００９９】
また、Ｅ−ＰＤＣＣＨは、あるサブフレームにおいて、ＰＤＣＣＨがマップされないＯＦＤＭシンボルにマップされる。また、Ｅ−ＰＤＣＣＨは、ＰＤＳＣＨと周波数分割多重（ＦＤＭ；Ｆｒｅｑｕｅｎｃｙ  Ｄｉｖｉｓｉｏｎ  Ｍｕｌｔｉｐｌｅｘ）されることができる。
【０１００】
ここで、例えば、基地局は、Ｅ−ＰＤＣＣＨのリソース領域を、上位層の信号を使用して端末へ設定することができる。また、Ｅ−ＰＤＣＣＨは、ＰＤＳＣＨに関連付けられるユーザー装置スペシフィック参照信号の送信に用いられるアンテナポートと、同じまたは異なるアンテナポートを使用して送信されても良い。ここで、ユーザー装置スペシフィック参照信号は、複数の端末によって共用されても良い。以下、基本的には、Ｅ−ＰＤＣＣＨは、ＰＤＣＣＨに含まれる。
【０１０１】
ここで、ＰＤＣＣＨおよび／またはＥ−ＰＤＣＣＨで送信される下りリンク制御情報に対して、複数のフォーマット（下りリンク制御情報フォーマット；ＤＣＩフォーマット）が定義される。
【０１０２】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１Ａが定義される。
【０１０３】
また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２（ＤＣＩフォーマット２Ｃでも良い）が定義される。
【０１０４】
また、例えば、下りリンクに対するＤＣＩフォーマットとして、マルチセル通信に対するスケジューリングに使用されるＤＣＩフォーマット（ＤＣＩフォーマットＸ）が定義されても良い。
【０１０５】
例えば、下りリンクに対するＤＣＩフォーマットには、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＤＳＣＨのスケジューリングに使用されるＤＣＩフォーマットを、下りリンクアサインメントとも記載する。
【０１０６】
また、例えば、上りリンクに対するＤＣＩフォーマットとして、１つのセルにおける１つの物理上りリンク共用チャネル（ＰＵＳＣＨ；Ｐｈｙｉｓｌｃａ  Ｕｐｌｉｎｋ  Ｓｈａｒｅｄ  Ｃｈａｎｎｅｌ）（１つのＰＵＳＣＨのコードワード、１つの上りリンクトランスポートブロックの送信）のスケジューリングに使用されるＤＣＩフォーマット０が定義される。
【０１０７】
また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４が定義される。
【０１０８】
また、例えば、上りリンクに対するＤＣＩフォーマットとして、マルチセル通信のスケジューリングに使用されるＤＣＩフォーマット（ＤＣＩフォーマットＹ）が定義されても良い。
【０１０９】
例えば、上りリンクに対するＤＣＩフォーマットには、ＰＵＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＵＳＣＨのスケジューリングに使用されるＤＣＩフォーマットを、上りリンクグラントとも記載する。
【０１１０】
また、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨがマップおよび送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、ＰＤＣＣＨ候補のセット内のＰＤＣＣＨそれぞれに対して、端末がデコードを試みるということを意味する。
【０１１１】
また、端末は、Ｅ−ＰＤＣＣＨ候補（Ｅ−ＰＤＣＣＨ  ｃａｎｄｉｄａｔｅｓ）のセットをモニタする。ここで、Ｅ−ＰＤＣＣＨ候補とは、基地局によって、Ｅ−ＰＤＣＣＨがマップおよび送信される可能性のある候補を示している。また、Ｅ−ＰＤＣＣＨ候補は、１つまたは複数の制御チャネル要素（Ｅ−ＣＣＥ；Ｅｎｈａｎｃｅｄ  Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、Ｅ−ＰＤＣＣＨ候補のセット内のＥ−ＰＤＣＣＨそれぞれに対して、端末がデコードを試みるということを意味する。
【０１１２】
ここで、端末がモニタするＰＤＣＣＨ候補のセットおよび／またはＥ−ＰＤＣＣＨ候補のセットは、サーチスペースとも呼称される。すなわち、サーチスペースとは、基地局によってＰＤＣＣＨの送信および／またはＥ−ＰＤＣＣＨの送信に用いられる可能性のあるリソースのセットである。
【０１１３】
すなわち、ＰＤＣＣＨのリソース領域に、ＣＳＳおよび／またはＵＳＳが構成（定義、設定）される。また、Ｅ−ＰＤＣＣＨのリソース領域に、ＣＳＳおよび／またはＵＳＳが構成（定義、設定）される。
【０１１４】
基地局は、ＰＤＣＣＨのリソース領域のＣＳＳおよび／またはＵＳＳにおいてＰＤＣＣＨを送信（配置）する。また、基地局は、Ｅ−ＰＤＣＣＨのリソース領域のＣＳＳおよび／またはＵＳＳにおいてＥ−ＰＤＣＣＨを送信（配置）する。
【０１１５】
また、端末は、ＰＤＣＣＨのリソース領域のＣＳＳおよび／またはＵＳＳにおいてＰＤＣＣＨをモニタし、自装置宛てのＰＤＣＣＨを検出する。また、端末は、Ｅ−ＰＤＣＣＨのリソース領域のＣＳＳおよび／またはＵＳＳにおいてＥ−ＰＤＣＣＨをモニタし、自装置宛てのＥ−ＰＤＣＣＨを検出する。
【０１１６】
ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め規定された番号のＣＣＥ（例えば、インデックスが０から１５までのＣＣＥ）から構成される。
【０１１７】
また、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信することができる。
【０１１８】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号や、アグリゲーションレベルなどに基づいて決定された番号のＣＣＥから構成される。すなわち、基地局は、ＵＳＳにおいて、特定の端末を対象とするＤＣＩフォーマットを送信する。
【０１１９】
ここで、下りリンク制御情報の送信（ＰＤＣＣＨでの送信、Ｅ−ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査パリティビット（単に、ＣＲＣとも呼称される））が下りリンク制御情報に付加され、付加された後に、ＣＲＣパリティビットがＲＮＴＩでスクランブルされる。
【０１２０】
すなわち、端末は、ＲＮＴＩによってスクランブルされたＣＲＣパリティビットを伴うＰＤＣＣＨ（Ｅ−ＰＤＣＣＨ、下りリンク制御情報、ＤＣＩフォーマットでも良い）に対してデコードを試み、ＣＲＣが成功したＰＤＣＣＨを、自装置宛のＰＤＣＣＨとして検出する（ブラインドデコーディングとも呼称される）。
【０１２１】
ここで、ＲＮＴＩには、Ｃ−ＲＮＴＩ（Ｃｅｌｌ  ＲＮＴＩ）が含まれる。また、ＲＮＴＩには、ＲＡ−ＲＮＴＩ（Ｒａｎｄｏｍ  Ａｃｃｅｓｓ  ＲＮＴＩ）が含まれる。また、ＲＮＴＩには、Ｐ−ＲＮＴＩ（Ｐａｇｉｎｇ  ＲＮＴＩ）が含まれる。また、ＲＮＴＩには、ＳＩ−ＲＮＴＩ（Ｓｙｓｔｅｍ  Ｉｎｆｏｒｍａｔｉｏｎ  ＲＮＴＩ）が含まれる。
【０１２２】
ここで、Ｃ−ＲＮＴＩは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。
【０１２３】
また、ＲＡ−ＲＮＴＩは、ランダムアクセスプロシージャにおいて、ランダムアクセスレスポンスメッセージを送信する場合に使用される識別子である。例えば、端末は、ランダムアクセスプリアンブルを送信した場合に、ＲＡ−ＲＮＴＩによってスクランブルされたＣＲＣを伴うＰＤＣＣＨをモニタする。
【０１２４】
例えば、端末は、初期コネクション確立（ｉｎｉｔｉａｌ  ｃｏｎｎｅｃｔｉｏｎ  ｅｓｔａｂｌｉｓｈｍｅｎｔ）のために、ランダムアクセスプロシージャを実行する。また、端末は、ハンドオーバーのために、ランダムアクセスプロシージャを実行する。また、端末は、コネクション再確立（ｃｏｎｎｅｃｔｉｏｎ  ｒｅ−ｅａｔａｂｌｉｓｈｍｅｎｔ）のために、ランダムアクセスプロシージャを実行する。また、端末は、ＵＬ−ＳＣＨのリソースを要求するために、ランダムアクセスプロシージャを実行する。
【０１２５】
また、Ｐ−ＲＮＴＩは、ページングおよびシステム情報の通知に使用される識別子である。また、ＳＩ−ＲＮＴＩは、システム情報のブロードキャストに使用される識別子である。
【０１２６】
ここで、Ｃ−ＲＮＴＩによってスクランブルされたＣＲＣを伴うＰＤＣＣＨは、ＵＳＳまたはＣＳＳで送信されても良い。また、ＲＡ−ＲＮＴＩによってスクランブルされたＣＲＣを伴うＰＤＣＣＨは、ＣＳＳのみで送信されても良い。また、Ｐ−ＲＮＴＩによってスクランブルされたＣＲＣを伴うＰＤＣＣＨは、ＣＳＳのみで送信されても良い。また、ＳＩ−ＲＮＴＩによってスクランブルされたＣＲＣを伴うＰＤＣＣＨは、ＣＳＳのみで送信されても良い。
【０１２７】
すなわち、端末は、ＣＲＣが、いずれのＲＮＴＩでスクランブルされているかに基づいて、下りリンク制御情報の解釈を変更する。また、端末は、ＰＤＣＣＨで送信された下りリンク制御情報を使用してスケジュールされたＰＤＳＣＨで下りリンクデータを受信する。以下、ＰＤＳＣＨでの下りリンクデータの送信を、ＰＤＳＣＨの送信とも記載する。また、ＰＤＳＣＨでの下りリンクデータの受信を、ＰＤＳＣＨの受信とも記載する。
【０１２８】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。
【０１２９】
ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、ある端末に対して専用（固有）な設定（情報）は、基地局によって、ｄｅｄｉｃａｔｅｄ  ｓｉｇｎａｌを使用して送信される。以下、ｄｅｄｉｃａｔｅｄ  ｓｉｇｎａｌは、ＲＲＣシグナリングに含まれる。
【０１３０】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（ｈｉｇｈｅｒ  ｌａｙｅｒ  ｓｉｇｎａｌｉｎｇ）とも呼称される。
【０１３１】
図５は、ＰＤＳＣＨと下りリンクの参照信号のマッピングの一例を示す図である。図５は、ｎｏｎ−ＭＢＳＦＮサブフレームにおける下りリンクの参照信号のマッピングの一例を示している。ここで、図５は、１サブフレームにおける２つのリソースブロック（リソースブロックペアとも呼称される）を示している。例えば、１つのリソースブロックは、周波数領域において１２のサブキャリアと、時間領域において７のＯＦＤＭシンボルによって構成される。
【０１３２】
ここで、１サブフレームにおいて、時間領域における７のＯＦＤＭシンボルのそれぞれはスロットとも呼称される。すなわち、１サブフレームは、第１のスロットと第２のスロットから構成される。また、１スロットにおいて、１つのＯＦＤＭシンボル、１つのサブキャリアによって定義されるリソース（最小の時間−周波数の構成単位）はリソースエレメントとも呼称される。すなわち、ＰＤＳＣＨは、リソースエレメントにマップされる。また、下りリンクの参照信号は、リソースエレメントにマップされる。
【０１３３】
ここで、図５において、Ｒｉは、アンテナポートｉにおけるセルスペシフィック参照信号がマップされる（セルスペシフィック参照信号の送信に使用される）リソースエレメントを示している（例えば、ｉ＝０、１、２、３）。
【０１３４】
また、Ｄｉは、ＤＭＲＳグループｉにおけるユーザー装置スペシフィック参照信号がマップされる（ユーザー装置スペシフィック参照信号の送信に使用される）リソースエレメントを示している（例えば、ｉ＝１、２）。
【０１３５】
ここで、例えば、ＰＤＳＣＨに関連付けられるユーザー装置スペシフィック参照信号のアンテナポートは７〜１４である。また、例えば、Ｅ−ＰＤＣＣＨに関連付けられるユーザー装置スペシフィック参照信号のアンテナポートは１０７〜１１０である。また、それぞれのアンテナポートにおけるユーザー装置スペシフィック参照信号は、符号長が２または４の直交符号系列を用いて生成され、いずれかのＤＭＲＳグループのリソースエレメントにマップされる。
【０１３６】
また、Ｃｉは、ＣＳＩ−ＲＳグループｉにおけるチャネル状態情報参照信号がマップされる（チャネル状態情報参照信号の送信に使用される）リソースエレメントを示している（例えば、ｉ＝１、２、３、４）。
【０１３７】
ここで、例えば、チャネル状態情報参照信号のアンテナポートは、１５〜２２である。また、それぞれのアンテナポートにおけるチャネル状態情報参照信号は、符号長が２の直交符号系列を用いて生成され、いずれかのＣＳＩ−ＲＳグループのリソースエレメントにマップされる。
【０１３８】
図６は、ＰＤＳＣＨと下りリンクの参照信号のマッピングの一例を示す別の図である。図６は、ＭＢＳＦＮサブフレームにおける下りリンクの参照信号のマッピングの一例を示している。
【０１３９】
図６に示すように、あるＭＢＳＦＮサブフレームにおいて、セルスペシフィック参照信号は、該ＭＢＳＦＮサブフレームのＭＢＳＦＮ領域では送信されない。すなわち、あるＭＢＳＦＮサブフレームにおいて、セルスペシフィック参照信号は、該ＭＢＳＦＮサブフレームのｎｏｎ−ＭＢＳＦＮ領域でのみ送信される。
【０１４０】
例えば、あるＭＢＳＦＮサブフレームのＭＢＳＦＮ領域では、ユーザー装置スペシフィック参照信号が送信される。また、あるＭＢＳＦＮサブフレームのＭＢＳＦＮ領域では、ＰＭＣＨが送信される場合に、ＭＢＳＦＮ参照信号が送信される。
【０１４１】
図７は、ＰＤＳＣＨと下りリンクの参照信号のマッピングの一例を示す別の図である。ここで、図７は、２つのセルのそれぞれで送信される下りリンクの参照信号のマッピングの一例を示している。
【０１４２】
ここで、図７の左側は、あるセル（セル１）で送信される下りリンクの参照信号のマッピングの一例を示している。また、図７の右側は、セル１に対する物理レイヤセルアイデンティティとは異なる物理レイヤセルアイデンティティを伴うセル（セル２）で送信される下りリンクの参照信号のマッピングの一例を示している。ここで、例えば、図７の右側に示されるセル２を、セル１に対する隣接セル（他セル、ｃｏｏｄｉｎａｔｅｄ  ｃｅｌｌ、ａｓｓｏｃｉａｔｅｄ  ｃｅｌｌとも呼称される）と考えることができる。
【０１４３】
例えば、端末は、図７に示すような下りリンクの参照信号のそれぞれを想定（識別、認識）することができる。すなわち、例えば、端末は、２つのセルスペシフィック参照信号のそれぞれの位置に基づいて、ＰＤＳＣＨのそれぞれを受信する。
【０１４４】
ここで、セルスペシフィック参照信号の位置（以下、ＣＲＳポジションとも記載される）は、物理レイヤセルアイデンティティ（物理レイヤセルアイデンティティの値）に基づいて決定（算出）される。ここで、セルスペシフィック参照信号の位置は、セルスペシフィック参照信号がマップされるリソースエレメント（リソースエレメントの位置）とも記載される。
【０１４５】
例えば、セル１におけるセルスペシフィック参照信号の位置は、セル１に対する物理レイヤセルアイデンティティに基づいて決定される。また、セル２におけるセルスペシフィック参照信号の位置は、セル２に対する物理レイヤセルアイデンティティに基づいて決定される。すなわち、図７に示すように、異なる物理レイヤセルアイデンティティを伴うセル（セル１、セル２）のそれぞれにおいて、セルスペシフィック参照信号は、異なる位置にマップされる。
【０１４６】
例えば、セルスペシフィック参照信号の位置は、物理レイヤセルアイデンティティに基づいて、セルスペシフィック参照信号がマップされるリソースエレメントの位置を特定することによって決定される。また、例えば、セルスペシフィック参照信号の位置は、物理レイヤセルアイデンティティに基づいて、周波数方向にシフトされる。また、例えば、セルスペシフィック参照信号の位置は、物理レイヤセルアイデンティティに基づいて、周波数方向に対して３パターンで決定される。
【０１４７】
ここで、例えば、端末は、物理レイヤセルアイデンティティを、同期信号（Ｓｙｎｃｈｒｏｎｉｚａｔｉｏｎ  ｓｉｇｎａｌｓ）を用いて検出することができる。また、端末は、基地局によって送信される上位層の信号（例えば、バンドオーバーコマンド）に含まれる情報から、物理レイヤセルアイデンティティを取得することができる。
【０１４８】
図８は、ＰＤＳＣＨと下りリンクの参照信号のマッピングの一例を示す別の図である。ここで、図８は、２つのセルから送信される下りリンクの参照信号のマッピングの一例を示している。また、図８に示すセル１、セル２は、図７に対応している。例えば、端末は、セル１およびセル２によりマルチセル通信が行われる場合、図８で示すような下りリンクの参照信号を想定（識別、認識）することができる。すなわち、端末は、２つのセルスペシフィック参照信号の位置に基づいて、ＰＤＳＣＨを受信する。
【０１４９】
ここで、ＰＤＳＣＨがリソースエレメントにマップされる際に、もし、そのリソースエレメントに、ＰＤＳＣＨ以外の物理信号／物理チャネル（例えば、セルスペシフック参照信号など）がマップされる場合、ＰＤＳＣＨは、該物理信号／物理チャネルがマップされるリソースエレメントに対してレートマッチング（ｒａｔｅ−ｍａｔｃｈｉｎｇ）される。
【０１５０】
ここで、レートマッチングとは、例えば、ＰＤＳＣＨを、ＰＤＳＣＨ以外の物理信号／物理チャネルがマップされるリソースエレメントを避けるようにしてマップする処理を示している。例えば、レートマッチングとは異なる処理として、ＰＤＳＣＨがマップされたリソースエレメントに、ＰＤＳＣＨ以外の物理信号／物理チャネルを上書きしてマップするパンクチャ（パンクチャ処理）がある。
【０１５１】
すなわち、ＰＤＳＣＨは、ＰＤＳＣＨ以外の物理信号／物理チャネルがマップされるリソースエレメントを除くリソースエレメントにマップされる。すなわち、ＰＤＳＣＨは、ＰＤＳＣＨ以外の物理信号／物理チャネルに対して使用されないリソースエレメントにマップされる。
【０１５２】
ここで、端末が、基地局がレートマッチングを行ってＰＤＳＣＨを送信したことを想定しないでＰＤＳＣＨを受信した場合、ＰＤＳＣＨに対する受信特性は劣化してしまう。従って、基地局と端末は、ＰＤＳＣＨに対する受信特性の劣化を避けるために、ＰＤＳＣＨ以外の物理信号／物理チャネルがマップされるリソースエレメントに基づいて、ＰＤＳＣＨを送受信することが好ましい。
【０１５３】
ここで、図７および図８においては、説明を容易とするために、２つのセルスペシフィック参照信号に基づいた基地局と端末の動作（処理）について記載した。しかしながら、セルスペシフィック参照信号の数がいくつであっても、同様の実施形態が適用できることは勿論である。
【０１５４】
例えば、基地局は、３つのセルスペシフィック参照信号の位置に基づいて、ＰＤＳＣＨをレートマッチングしても良い。また、端末は、３つのセルスペシフィック参照信号の位置に基づいて、ＰＤＳＣＨを受信しても良い。
【０１５５】
ここで、基地局は、セルスペシフィック参照信号の位置を、端末へ指定（設定、指示）することができる。例えば、基地局は、１つ以上のセルスペシフィック参照信号のそれぞれの位置（例えば、３つのセルスペシフィック参照信号のそれぞれの位置）を、独立に指定することができる。すなわち、基地局は、ＰＤＳＣＨの送信に対して利用可能なリソースエレメント（リソースエレメントの位置）を、端末へ指定することができる。
【０１５６】
ここで、例えば、セルスペシフィック参照信号の位置は、セルスペシフィック参照信号の周波数シフト（周波数方向の位置）に基づいて決定されても良い。上述したように、セルスペシフィック参照信号の周波数シフトは、物理レイヤセルアイデンティティに基づいて決定される。また、セルスペシフィック参照信号の位置は、セルスペシフィック参照信号の送信に使用されるポート数に基づいて決定されても良い。また、セルスペシフィック参照信号の有無は、ＭＢＳＦＮサブフレームかどうかに基づいて決定されても良い。
【０１５７】
すなわち、基地局は、セルスペシフィック参照信号の周波数シフトを示す情報（例えば、物理レイヤセルアイデンティティに関する情報）を送信することによって、セルスペシフィック参照信号の位置を指定することができる。また、基地局は、セルスペシフィック参照信号のポート数を示す情報を送信することによって、セルスペシフィック参照信号の位置を指定することができる。
【０１５８】
また、基地局は、セルスペシフィック参照信号が送信されるサブフレームを示す情報（例えば、ＭＢＳＦＮサブフレームに関する情報）を送信することによって、セルスペシフィック参照信号の有無を指定することができる。
【０１５９】
以下、セルスペシフィック参照信号の周波数シフトを示す情報、および／または、セルスペシフィック参照信号のポート数を示す情報、および／または、セルスペシフィック参照信号が送信されるサブフレームを示す情報を、セルスペシフィック参照信号の位置を示す情報とも記載する。
【０１６０】
例えば、基地局は、セルスペシフィック参照信号の位置を示す情報を、上位層の信号（ｄｅｄｉｃａｔｅｄ  ｓｉｇｎａｌでも良い）に含めて送信することができる。すなわち、基地局は、セルスペシフィック参照信号がマップされるリソースエレメントの位置のセットを指定することができる。
【０１６１】
また、基地局は、上位層の信号（ｄｅｄｉｃａｔｅｄ  ｓｉｇｎａｌでも良い）を使用して、複数のセルスペシフィック参照信の位置のセットを設定し、さらに、ＰＤＣＣＨを使用して、設定した複数のセルスペシフィック参照信号の位置から、１つまたは複数のセルスペシフィック参照信号の位置を指示することができる。
【０１６２】
また、基地局は、上位層の信号（ｄｅｄｉｃａｔｅｄ  ｓｉｇｎａｌでも良い）を使用して、複数のセルスペシフィック参照信号の位置のセットを設定し、さらに、ＰＤＣＣＨを使用して、この設定に対する有効または無効を指示することができる。
【０１６３】
すなわち、基地局は、ＰＤＣＣＨで送信されるＤＣＩフォーマット（例えば、下りリンクアサインメント）に、セルスペシフィック参照信号の位置に関する下りリンク制御情報（以下、第１の制御情報とも記載する）を含めて、端末へ送信することができる。例えば、ＤＣＩフォーマットに定義される２ビットのフィールド（または、３ビットのフィールド）が、第１の制御情報にマップされる。
【０１６４】
例えば、ＤＣＩフォーマットに定義される２ビットのフィールドが、第１の制御情報にマップされる場合には、４つの状態のうちの３つの状態を、セルスペシフィック参照信号の位置を指定するために使用することができる（例えば、“０１：セルスペシフィック参照信号の位置のセット１”、“０１：セルスペシフィック参照信号の位置のセット２”、“０１：セルスペシフィック参照信号の位置のセット３”）。
【０１６５】
この場合、基地局は、残りの１つの状態を使用して、サービングセルのセルスペシフィック参照信号の位置（すなわち、物理レイヤセルアイデンティティに基づいて決定されるセルスペシフィック参照信号の位置が使用されること）を指示しても良い（例えば、“００：サービングセルのセルスペシフィック参照信号の位置”）。
【０１６６】
また、ＤＣＩフォーマットに定義される３ビットのフィールドが、セルスペシフィック参照信号の位置に関する情報にマップされる場合には、（３つの）セルスペシフィック参照信号の位置を、ビットマップ形式を用いて指定することができる。すなわち、３つのセルスペシフィック参照信号の位置の組み合わせを、３ビットのフィールドのそれぞれに対応させることによって、３つのセルスペシフィック参照信号の位置の組み合わせを指示することができる。
【０１６７】
ここで、例えば、第１の制御情報は、所定のＤＣＩフォーマット以外のＤＣＩフォーマットに含まれることができる。すなわち、第１の制御情報は、所定のＤＣＩフォーマットには含まれなくても良い。例えば、第１の制御情報は、ＤＣＩフォーマット１Ａには含まれなくても良い。ここで、第１の制御情報を含むことが可能なＤＣＩフォーマット（所定のＤＣＩフォーマット）は、仕様などによって、予め規定される。
【０１６８】
また、第１の制御情報は、ＤＣＩフォーマットがＵＳＳで送信される場合には、ＤＣＩフォーマットに含まれることができる。すなわち、第１の制御情報は、ＤＣＩフォーマットがＣＳＳで送信される場合には、ＤＣＩフォーマットに含まれなくても良い。
【０１６９】
例えば、第１の制御情報は、ＤＣＩフォーマット１ＡがＵＳＳで送信される場合には、ＤＣＩフォーマット１Ａに含まれることができる。また、第１の制御情報は、ＤＣＩフォーマット１ＡがＣＳＳで送信される場合には、ＤＣＩフォーマット１Ａに含まれなくても良い。
【０１７０】
また、第１の制御情報は、ＵＳＳのみで送信されるＤＣＩフォーマットにのみ含まれても良い。すなわち、第１の制御情報は、ＣＳＳで送信されるＤＣＩフォーマットには含まれなくても良い。
【０１７１】
また、第１の制御情報は、Ｃ−ＲＮＴＩでスクランブルされたＣＲＣを伴うＰＤＣＣＨでＤＣＩフォーマットが送信される場合には、ＤＣＩフォーマットに含まれることができる。すなわち、第１の制御情報は、ＲＡ−ＲＮＴＩでスクランブルされたＣＲＣを伴うＰＤＣＣＨでＤＣＩフォーマットが送信される場合には、ＤＣＩフォーマットに含まれなくても良い。また、第１の制御情報は、Ｐ−ＲＮＴＩでスクランブルされたＣＲＣを伴うＰＤＣＣＨでＤＣＩフォーマットが送信される場合には、ＤＣＩフォーマットに含まれなくても良い。また、第１の制御情報は、ＳＩ−ＲＮＴＩでスクランブルされたＣＲＣを伴うＰＤＣＣＨでＤＣＩフォーマットが送信される場合には、ＤＣＩフォーマットに含まれなくても良い。
【０１７２】
また、第１の制御情報は、基地局によって設定された場合にのみ、ＤＣＩフォーマットに含まれても良い。例えば、基地局は、ＤＣＩフォーマットに、第１の情報が含まれるかどうかを指示する情報を、上位層の信号（ｄｅｄｉｃａｔｅｄ  ｓｉｇｎａｌでも良い）を使用して送信することができる。
【０１７３】
また、第１の制御情報は、基地局によって、所定の送信モード（例えば、ＰＤＳＣＨに対する送信モード）が設定された場合にのみ、ＤＣＩフォーマットに含まれても良い。例えば、基地局は、所定の送信モードを設定した場合にのみ、ＤＣＩフォーマットに第１の情報を含めて送信することができる。ここで、所定の送信モードは、仕様などによって、予め規定される。
【０１７４】
ここで、例えば、端末は、セルスペシフィック参照信号の周波数シフトに関する情報が送信されない場合であっても、セルスペシフィック参照信号の位置を決定（推定）することができる。
【０１７５】
例えば、端末は、セルスペシフィック参照信号がマップされる可能性がある全てのリソースエレメントに、セルスペシフィック参照信号がマップされると想定して、セルスペシフィック参照信号の位置を決定することができる。また、端末は、サービングセルのセルスペシフィック参照信号がマップされるリソースエレメントを除く、セルスペシフィック参照信号がマップされる可能性がある全てのリソースエレメントに、セルスペシフィック参照信号がマップされると想定して、セルスペシフィック参照信号の位置を決定することができる。また、端末は、複数のセルのそれぞれのセルスペシフィック参照信号の位置を、サービングセルのセルスペシフィック参照信号の位置と同じであると想定して、セルスペシフィック参照信号の位置を決定することができる。
【０１７６】
ここで、端末が、セルスペシフィック参照信号がマップされるリソースエレメントを、どのように想定するのかは、仕様書などよって、予め規定される。
【０１７７】
また、端末は、セルスペシフィック参照信号のポート数を示す情報が送信されない場合であっても、セルスペシフィック参照信号の位置を決定（推定）することができる。
【０１７８】
例えば、端末は、セルスペシフィック参照信号の送信に使用されるポート数を想定して、セルスペシフィック参照信号の位置を決定することができる。例えば、端末は、セルスペシフィック参照信号の送信に使用されるポート数を、１ポート、２ポートおよび４ポートのいずれかであると想定して、セルスペシフィック参照信号の位置を決定することができる。また、端末は、複数のセルのそれぞれのセルスペシフィック参照信号の送信に使用されるポート数を、サービングセルのセルスペシフィック参照信号の送信に使用されるポート数と同じであると想定して、セルスペシフィック参照信号の位置を決定することができる。
【０１７９】
ここで、端末が、セルスペシフィック参照信号の送信に使用されるポート数を、どのように想定するのかは、仕様書などよって、予め規定される。
【０１８０】
また、端末は、セルスペシフィック参照信号が送信されるサブフレームを示す情報が送信されない場合であっても、セルスペシフィック参照信号の位置を決定（推定）することができる。
【０１８１】
例えば、端末は、全てのサブフレームにおいて、セルスペシフィック参照信号が送信されると想定して、セルスペシフィック参照信号の位置を決定することができる。また、端末は、複数のセルのそれぞれのセルスペシフィック参照信号が送信されるサブフレームを、サービングセルのセルスペシフィック参照信号が送信されるサブフレームと同じであると想定して、セルスペシフィック参照信号の位置を決定することができる。
【０１８２】
ここで、端末が、セルスペシフィック参照信号が送信されるサブフレームを、どのように想定するのかは、仕様書などよって、予め規定される。
【０１８３】
上述したように、基地局は、サービングセルの物理レイヤセルアイデンティティから決定されるセルスペシフィック参照信号の位置のみに基づいてレートマッチングを行い、ＰＤＳＣＨを送信する（以下、ＰＣＩに基づくＰＤＳＣＨの送信とも記載する）。
【０１８４】
例えば、基地局は、図７の左側に示すように、セル１に対する物理レイヤセルアイデンティティから決定されるセルスペシフィック参照信号の位置のみに基づいてレートマッチングを行い、ＰＤＳＣＨを送信する。また、基地局は、図７の右側に示すように、セル２に対する物理レイヤセルアイデンティティから決定されるセルスペシフィック参照信号の位置のみに基づいてレートマッチングを行い、ＰＤＳＣＨを送信する。
【０１８５】
また、基地局は、ユーザー装置スペシフィックな設定（Ｕｓｅｒ-ｅｑｕｉｐｍｅｎｔ  ｓｐｅｃｉｆｉｃ  ｃｏｎｆｉｇｕｔａｉｏｎ、ある端末に対する専用（固有）の設定とも記載される）を使用して、指定したセルスペシフィック参照信号の位置に基づいてレートマッチングを行い、ＰＤＳＣＨを送信する（以下、第１の設定に基づくＰＤＳＣＨの送信とも記載する）。
【０１８６】
例えば、基地局は、図８に示すように、２つのセルスペシフィック参照信号の位置に基づいてレートマッチングを行い、ＰＤＳＣＨを送信する。例えば、基地局は、セル１で送信されるセルスペシフィック参照信号の位置とセル２で送信されるセルスペシフィック参照信号の位置に基づいてレートマッチングを行い、ＰＤＳＣＨを送信する。
【０１８７】
ここで、基地局は、サービングセルの物理レイヤセルアイデンティティから決定されるセルスペシフィック参照信号の位置および端末へ指定したセルスペシフィック参照信号の位置に基づいてレートマッチングを行い、ＰＤＳＣＨを送信しても良い。すなわち、基地局は、サービングセルの物理レイヤセルアイデンティティから決定されるセルスペシフィック参照信号の位置に加えて、端末へ指定したセルスペシフィック参照信号の位置に基づいてレートマッチングを行い、ＰＤＳＣＨを送信しても良い。
【０１８８】
以下、説明を容易とするために、第１の設定に基づくＰＤＳＣＨの送信として、端末へ指定したセルスペシフィック参照信号の位置に基づいてレートマッチングを行い、ＰＤＳＣＨを送信することを記載する。
【０１８９】
しかしながら、第１の設定に基づくＰＤＳＣＨの送信には、サービングセルの物理レイヤセルアイデンティティから決定されるセルスペシフィック参照信号の位置に加えて、端末へ指定したセルスペシフィック参照信号の位置に基づいてレートマッチングを行い、ＰＤＳＣＨを送信することが含まれる。すなわち、第１の設定に基づくＰＤＳＣＨの送信には、少なくとも、端末へ指定したセルスペシフィック参照信号の位置に基づいてレートマッチングを行い、ＰＤＳＣＨを送信することが含まれる。
【０１９０】
また、端末は、サービングセルの物理レイヤセルアイデンティティから決定されるセルスペシフィック参照信号の位置のみに基づいてレートマッチングが行われたことを想定して、ＰＤＳＣＨを受信する（以下、ＰＣＩに基づくＰＤＳＣＨの受信とも記載する）。
【０１９１】
例えば、端末は、図７の左側に示すように、セル１に対する物理レイヤセルアイデンティティから決定されるセルスペシフィック参照信号の位置のみに基づいてレートマッチングが行われたことを想定して、ＰＤＳＣＨを受信する。また、端末は、図７の右側に示すように、セル２に対する物理レイヤセルアイデンティティから決定されるセルスペシフィック参照信号の位置のみに基づいてレートマッチングが行われたことを想定して、ＰＤＳＣＨを受信する。
【０１９２】
また、端末は、ユーザー装置スペシフィックな設定を使用して、指定されたセルスペシフィック参照信号の位置に基づいてレートマッチングが行われたことを想定して、ＰＤＳＣＨを受信する（以下、第１の設定に基づくＰＤＳＣＨの受信とも記載する）。
【０１９３】
例えば、端末は、図８に示すように、２つのセルスペシフィック参照信号の位置に基づいてレートマッチングが行われたことを想定して、ＰＤＳＣＨを受信する。例えば、基地局は、セル１で送信されるセルスペシフィック参照信号の位置とセル２で送信されるセルスペシフィック参照信号の位置に基づいてレートマッチングが行われたことを想定し、ＰＤＳＣＨを受信する。
【０１９４】
ここで、端末は、サービングセルの物理レイヤセルアイデンティティから決定されるセルスペシフィック参照信号の位置および基地局によって指定されたセルスペシフィック参照信号の位置に基づいてレートマッチングが行われたことを想定して、ＰＤＳＣＨを受信しても良い。すなわち、端末は、サービングセルの物理レイヤセルアイデンティティから決定されるセルスペシフィック参照信号の位置に加えて、基地局によって指定されたセルスペシフィック参照信号の位置に基づいてレートマッチングが行われたことを想定して、ＰＤＳＣＨを受信しても良い。
【０１９５】
以下、説明を容易とするために、第１の設定に基づくＰＤＳＣＨの受信として、基地局によって指定されたセルスペシフィック参照信号の位置に基づいてレートマッチングが行われたことを想定して、ＰＤＳＣＨを受信することを記載する。
【０１９６】
しかしながら、第１の設定に基づくＰＤＳＣＨの受信には、サービングセルの物理レイヤセルアイデンティティから決定されるセルスペシフィック参照信号の位置に加えて、基地局によって指定されたセルスペシフィック参照信号の位置に基づいてレートマッチングが行われたことを想定して、ＰＤＳＣＨを受信することが含まれる。すなわち、第１の設定に基づくＰＤＳＣＨの受信には、少なくとも、基地局によって指定されたセルスペシフィック参照信号の位置に基づいてレートマッチングが行われたことを想定して、ＰＤＳＣＨを受信することが含まれる。
【０１９７】
図９は、本実施形態に係るフローの一例を示す図である。図９に示すように、基地局は、条件に基づいて、ＰＣＩに基づくＰＤＳＣＨの送信と、第１の設定に基づくＰＤＳＣＨの送信を切り換える。また、端末は、ＰＣＩに基づくＰＤＳＣＨの受信と、第１の設定に基づくＰＤＳＣＨの受信を切り換える。
【０１９８】
すなわち、基地局は、条件がＡの場合には、サービングセルの物理レイヤセルアイデンティティから決定されるセルスペシフィック参照信号の位置のみに基づいてレートマッチングを行い、ＰＤＳＣＨを送信する。
【０１９９】
すなわち、例えば、基地局は、条件がＡの場合には、ＰＤＳＣＨの送信のために割り当てた物理リソースブロック内のリソースエレメントにＰＤＳＣＨをマップする。また、基地局は、条件がＡの場合には、セルスペシフィック参照信号の送信に対して使用されないリソースエレメントにＰＤＳＣＨをマップする。
【０２００】
また、基地局は、条件がＢの場合には、端末へ指定したセルスペシフィック参照信号の位置に基づいてレートマッチングを行い、ＰＤＳＣＨを送信する。
【０２０１】
すなわち、例えば、基地局は、条件がＢの場合には、端末へ指定したリソースエレメントを除いた、ＰＤＳＣＨの送信のために割り当てた物理リソースブロック内のリソースエレメントにＰＤＳＣＨをマップする。また、基地局は、条件がＢの場合には、セルスペシフィック参照信号の送信に対して使用されないリソースエレメントにＰＤＳＣＨをマップする。
【０２０２】
また、端末は、条件がＡの場合には、サービングセルの物理レイヤセルアイデンティティから決定されるセルスペシフィック参照信号の位置のみに基づいてレートマッチングが行われたことを想定し、ＰＤＳＣＨを受信する。
【０２０３】
すなわち、端末は、条件がＡの場合には、ＰＤＳＣＨの送信のために割り当てられた物理リソースブロック内のリソースエレメントにマップされたＰＤＳＣＨを受信する。また、端末は、条件がＡの場合には、セルスペシフィック参照信号の送信に対して使用されないリソースエレメントにマップされたＰＤＳＣＨを受信する。
【０２０４】
また、端末は、条件がＢの場合には、基地局によって指定されたセルスペシフィック参照信号の位置に基づいてレートマッチングが行われたことを想定し、ＰＤＳＣＨを受信する。
【０２０５】
すなわち、端末は、条件がＢの場合には、基地局によって指定（指示、設定）されたリソースエレメントを除いた、ＰＤＳＣＨの送信のために割り当てられた物理リソースブロック内のリソースエレメントにマップされたＰＤＳＣＨを受信する。すなわち、端末は、条件がＡの場合には、セルスペシフィック参照信号の送信に対して使用されないリソースエレメントにマップされたＰＤＳＣＨを受信する。
【０２０６】
ここで、条件Ａには、ＣＳＳにおいてＰＤＣＣＨを送信（配置）すること、が含まれる。また、条件Ａには、ＣＳＳにおいてＰＤＣＣＨを検出（デコード、受信）したこと、が含まれる。
【０２０７】
すなわち、基地局は、ＣＳＳにおいてＰＤＣＣＨを送信（配置でも良い）する場合には、ＰＣＩに基づくＰＤＳＣＨの送信を行う。また、端末は、ＣＳＳにおいてＰＤＣＣＨを検出した場合には、ＰＣＩに基づくＰＤＳＣＨの受信を行う。
【０２０８】
また、条件Ｂには、ＵＳＳにおいてＰＤＣＣＨを送信（配置）すること、が含まれる。また、条件Ｂには、ＵＳＳにおいてＰＤＣＣＨを検出（デコード、受信）したこと、が含まれる。
【０２０９】
すなわち、基地局は、ＵＳＳにおいてＰＤＣＣＨを送信する場合には、第１の設定に基づくＰＤＳＣＨの送信を行う。また、端末は、ＣＳＳにおいてＰＤＣＣＨを検出した場合には、第１の設定に基づくＰＤＳＣＨの受信を行う。
【０２１０】
また、条件Ａには、所定のＤＣＩフォーマット（以下、第１のＤＣＩフォーマットとも記載する）を送信すること、が含まれる。また、条件Ａには、所定のＤＣＩフォーマットを検出（デコード、受信）したこと、が含まれる。ここで、第１のＤＣＩフォーマットは、予め仕様などによって規定され、基地局と端末との間で既知の情報としておくことができる。
【０２１１】
ここで、例えば、第１のＤＣＩフォーマットとは、ＤＣＩフォーマット１Ａを示している。また、第１のＤＣＩフォーマットとして、新たなＤＣＩフォーマットが定義されても良い。ここで、ＤＣＩフォーマット１Ａは、ＣＳＳおよび／またはＵＳＳにおけるＰＤＣＣＨで送信されることができる。
【０２１２】
すなわち、基地局は、第１のＤＣＩフォーマット（例えば、ＤＣＩフォーマット１Ａ）を送信する場合には、ＰＣＩに基づくＰＤＳＣＨの送信を行う。また、端末は、第１のＤＣＩフォーマット（例えば、ＤＣＩフォーマット１Ａ）を受信した場合には、ＰＣＩに基づくＰＤＳＣＨの受信を行う。
【０２１３】
また、条件Ｂには、所定のＤＣＩフォーマット以外のＤＣＩフォーマット（以下、第２のＤＣＩフォーマット、所定のＤＣＩフォーマットとは異なるＤＣＩフォーマットとも記載する）を送信すること、が含まれる。また、条件Ｂには、所定のＤＣＩフォーマット以外のＤＣＩフォーマットを検出（デコード、受信）したこと、が含まれる。
【０２１４】
ここで、例えば、第２のＤＣＩフォーマットとは、ＤＣＩフォーマット１Ａ以外のＤＣＩフォーマットを示している。例えば、第２のＤＣＩフォーマットとは、ＤＣＩフォーマット２（ＤＣＩフォーマット２Ｃでも良い）が含まれる。また、第２のＤＣＩフォーマットとは、ＤＣＩフォーマットＸが含まれる。また、第２のＤＣＩフォーマットとして、新たなＤＣＩフォーマットが定義されても良い。
【０２１５】
すなわち、基地局は、第２のＤＣＩフォーマット（例えば、ＤＣＩフォーマット１Ａ以外のＤＣＩフォーマット）を送信する場合には、第１の設定に基づくＰＤＳＣＨの送信を行う。また、端末は、第２のＤＣＩフォーマット（例えば、ＤＣＩフォーマット１Ａ以外のＤＣＩフォーマット）を受信した場合には、第１の設定に基づくＰＤＳＣＨの受信を行う。
【０２１６】
また、条件Ａには、ＣＳＳにおいて、第１のＤＣＩフォーマットを送信（配置）すること、が含まれる。また、条件Ａには、ＣＳＳにおいて、第１のＤＣＩフォーマットを検出（デコード、受信）したこと、が含まれる。すなわち、例えば、条件Ａには、ＣＳＳにおいて、ＤＣＩフォーマット１Ａを送信すること、が含まれる。また、条件Ａには、ＣＳＳにおいて、ＤＣＩフォーマット１Ａを受信したこと、が含まれる。
【０２１７】
すなわち、基地局は、ＣＳＳにおいて、第１のＤＣＩフォーマット（例えば、ＤＣＩフォーマット１Ａ）を送信する場合には、ＰＣＩに基づくＰＤＳＣＨの送信を行う。また、端末は、ＣＳＳにおいて、第１のＤＣＩフォーマット（例えば、ＤＣＩフォーマット１Ａ）を受信した場合には、ＰＣＩに基づくＰＤＳＣＨの受信を行う。
【０２１８】
また、条件Ｂには、ＵＳＳにおいて、第１のＤＣＩフォーマットまたは第２のＤＣＩフォーマットを送信すること、が含まれる。また、条件Ｂには、ＣＳＳにおいて、第２のＤＣＩフォーマットを送信すること、が含まれる。また、条件Ｂには、ＵＳＳにおいて、第１のＤＣＩフォーマットまたは第２のＤＣＩフォーマットを検出（デコード、受信）したこと、が含まれる。また、条件Ｂには、ＣＳＳにおいて、第２のＤＣＩフォーマットを検出（デコード、受信）したこと、が含まれる。
【０２１９】
すなわち、基地局は、ＵＳＳにおいて、第１のＤＣＩフォーマット（例えば、ＤＣＩフォーマット１Ａ）または第２のＤＣＩフォーマット（例えば、ＤＣＩフォーマット１Ａ以外のＤＣＩフォーマット）を送信する場合には、第１の設定に基づくＰＤＳＣＨの送信を行う。また、基地局は、ＣＳＳにおいて、第２のＤＣＩフォーマット（例えば、ＤＣＩフォーマット１Ａ以外のＤＣＩフォーマット）を送信する場合には、第１の設定に基づくＰＤＳＣＨの送信を行う。
【０２２０】
また、端末は、ＵＳＳにおいて、第１のＤＣＩフォーマット（例えば、ＤＣＩフォーマット１Ａ）または第２のＤＣＩフォーマット（例えば、ＤＣＩフォーマット１Ａ以外のＤＣＩフォーマット）を受信した場合には、第１の設定に基づくＰＤＳＣＨの受信を行う。また、端末は、ＣＳＳにおいて、第２のＤＣＩフォーマット（例えば、ＤＣＩフォーマット１Ａ以外のＤＣＩフォーマット）を受信した場合には、第１の設定に基づくＰＤＳＣＨの受信を行う。
【０２２１】
また、条件Ａには、ＲＡ−ＲＮＴＩによってスクランブルされたＣＲＣを伴うＰＤＣＣＨを送信（配置）すること、が含まれる。また、条件Ａには、Ｐ−ＲＮＴＩによってスクランブルされたＣＲＣを伴うＰＤＣＣＨを送信すること、が含まれる。また、条件Ａには、ＳＩ−ＲＮＴＩによってスクランブルされたＣＲＣを伴うＰＤＣＣＨを送信すること、が含まれる。
【０２２２】
また、条件Ａには、ＲＡ−ＲＮＴＩによってスクランブルされたＣＲＣを伴うＰＤＣＣＨを検出（デコード、受信）したこと、が含まれる。また、条件Ａには、Ｐ−ＲＮＴＩによってスクランブルされたＣＲＣを伴うＰＤＣＣＨを検出したこと、が含まれる。また、条件Ａには、ＳＩ−ＲＮＴＩによってスクランブルされたＣＲＣを伴うＰＤＣＣＨを検出したこと、が含まれる。
【０２２３】
すなわち、基地局は、ＲＡ−ＲＮＴＩによってスクランブルされたＣＲＣを伴うＰＤＣＣＨを送信する場合には、ＰＣＩに基づくＰＤＳＣＨの送信を行う。また、基地局は、Ｐ−ＲＮＴＩによってスクランブルされたＣＲＣを伴うＰＤＣＣＨを送信する場合には、ＰＣＩに基づくＰＤＳＣＨの送信を行う。また、ＳＩ−ＲＮＴＩによってスクランブルされたＣＲＣを伴うＰＤＣＣＨを送信する場合には、ＰＣＩに基づくＰＤＳＣＨの送信を行う。
【０２２４】
また、端末は、ＲＡ−ＲＮＴＩによってスクランブルされたＣＲＣを伴うＰＤＣＣＨを検出した場合には、ＰＣＩに基づくＰＤＳＣＨの受信を行う。また、端末は、Ｐ−ＲＮＴＩによってスクランブルされたＣＲＣを伴うＰＤＣＣＨを検出した場合には、ＰＣＩに基づくＰＤＳＣＨの受信を行う。また、端末は、ＳＩ−ＲＮＴＩによってスクランブルされたＣＲＣを伴うＰＤＣＣＨを検出した場合には、ＰＣＩに基づくＰＤＳＣＨの受信を行う。
【０２２５】
また、条件Ｂには、Ｃ−ＲＮＴＩによってスクランブルされたＣＲＣを伴うＰＤＣＣＨを送信（配置）すること、が含まれる。また、条件Ｂには、Ｃ−ＲＮＴＩによってスクランブルされたＣＲＣを伴うＰＤＣＣＨを検出（デコード、受信）したこと、が含まれる。
【０２２６】
すなわち、基地局は、Ｃ−ＲＮＴＩによってスクランブルされたＣＲＣを伴うＰＤＣＣＨを送信した場合には、第１の設定に基づくＰＤＳＣＨの送信を行う。また、端末は、Ｃ−ＲＮＴＩによってスクランブルされたＣＲＣを伴うＰＤＣＣＨを検出した場合には、第１の設定に基づくＰＤＳＣＨの受信を行う。
【０２２７】
図１０は、本実施形態に係るフローの一例を示す別の図である。ここで、上述したように、あるＭＢＳＦＮサブフレームにおいて、セルスペシフィック参照信号は、該ＭＢＳＦＮサブフレームのｎｏｎ−ＭＢＳＦＮ領域でのみ送信される。
【０２２８】
すなわち、例えば、基地局と端末は、あるサブフレームにおいて、セル１がｎｏｎ−ＭＢＳＦＮサブフレーム、セル２がＭＢＳＦＮサブフレーム、セル３がｎｏｎ−ＭＢＳＦＮサブフレームの場合には、セル１に対応するセルスペシフィック参照信号の位置とセル３に対応するセルスペシフィック参照信号の位置に基づいて、ＰＤＳＣＨの送受信を行えば良い。
【０２２９】
すなわち、例えば、基地局と端末は、あるセルにおける、あるサブフレームが、ＭＢＳＦＮサブフレームであるか、ｎｏｎ−ＭＢＳＦＮサブフレームであるかに基づいて、該セルに対応するセルスペシフィック参照信号の位置に基づいたＰＤＳＣＨの送受信を行うかどうかを切り替えることができる。
【０２３０】
図１０において、基地局は、条件に応じて、動作（処理）を切り替える。ここで、条件（条件Ａ、条件Ｂ）は、上述のとおりである。さらに、基地局は、条件Ａの場合、サービングセルにおいて、ＭＢＳＦＮサブフレームであるか、ｎｏｎ−ＭＢＳＦＮサブフレームであるかを識別（認識、確認）する。
【０２３１】
ここで、サービングセルにおいて、ＭＢＳＦＮサブフレームの場合、基地局は、サービングセルのセルスペシフィック参照信号の位置に基づいたレートマッチングを行わずに、ＰＤＳＣＨを送信する。すなわち、基地局は、サービングセルの物理レイヤセルアイデンティティから決定されるセルスペシフィック参照信号の位置に基づいたレートマッチングを行わずに、ＰＤＳＣＨを送信する。
【０２３２】
また、サービングセルにおいて、ｎｏｎ−ＭＢＳＦＮサブフレームの場合、基地局は、サービングセルのセルスペシフィック参照信号の位置のみに基づいたレートマッチングを行い、ＰＤＳＣＨを送信する。すなわち、基地局は、ＰＣＩに基づいたＰＤＳＣＨの送信を行う。
【０２３３】
また、基地局は、条件Ｂの場合、端末へ設定したパターン（すなわち、ＭＢＳＦＮサブフレームのパターン）において、ＭＢＳＦＮサブフレームであるか、ｎｏｎ−ＭＢＳＦＮサブフレームであるかを識別（認識、確認）する。上述のとおり、基地局は、上位層の信号を使用してパラメータ（例えば、ＭＢＳＦＮサブフレームに関する情報）を送信することによって、ＭＢＳＦＮサブフレーム（ＭＢＳＦＮサブフレームのパターン）を設定することができる。
【０２３４】
ここで、設定したパターンにおいて、ＭＢＳＦＮサブフレームの場合、基地局は、指定したセルスペシフィック参照信号の位置に基づいたレートマッチングを行わずに、ＰＤＳＣＨを送信する。すなわち、基地局は、ユーザー装置スペシフィックな設定を使用して、指定したセルスペシフィック参照信号の位置に基づいたレートマッチングを行わずに、ＰＤＳＣＨを送信する。
【０２３５】
また、設定したパターンにおいて、ｎｏｎ−ＭＢＳＦＮサブフレームの場合、基地局は、指定したセルスペシフィック参照信号の位置に基づいたレートマッチングを行い、ＰＤＳＣＨを送信する。すなわち、基地局は、第１の設定に基づいたＰＤＳＣＨの送信を行う。
【０２３６】
同様に、端末は、条件に応じて、動作（処理）を切り替える。ここで、条件（条件Ａ、条件Ｂ）は、上述のとおりである。さらに、端末は、条件Ａの場合、サービングセルにおいて、ＭＢＳＦＮサブフレームであるか、ｎｏｎ−ＭＢＳＦＮサブフレームであるかを識別（認識、確認）する。
【０２３７】
ここで、サービングセルにおいて、ＭＢＳＦＮサブフレームの場合、端末は、サービングセルのセルスペシフィック参照信号の位置に基づいたレートマッチングが行われていないことを想定して、ＰＤＳＣＨを受信する。すなわち、端末は、サービングセルの物理レイヤセルアイデンティティから決定されるセルスペシフィック参照信号の位置に基づいたレートマッチングが行われていないことを想定して、ＰＤＳＣＨを受信する。
【０２３８】
また、サービングセルにおいて、ｎｏｎ−ＭＢＳＦＮサブフレームの場合、端末は、サービングセルのセルスペシフィック参照信号の位置のみに基づいたレートマッチングが行われたことを想定して、ＰＤＳＣＨを受信する。すなわち、端末は、ＰＣＩに基づいたＰＤＳＣＨの受信を行う。
【０２３９】
また、端末は、条件Ｂの場合、基地局によって設定されたパターン（すなわち、ＭＢＳＦＮサブフレームのパターン）において、ＭＢＳＦＮサブフレームであるか、ｎｏｎ−ＭＢＳＦＮサブフレームであるかを識別（認識、確認）する。
【０２４０】
ここで、設定されたパターンにおいて、ＭＢＳＦＮサブフレームの場合、端末は、指定されたセルスペシフィック参照信号の位置に基づいたレートマッチングが行われていないことを想定して、ＰＤＳＣＨを受信する。すなわち、端末は、ユーザー装置スペシフィックな設定を使用して、指定されたセルスペシフィック参照信号の位置に基づいたレートマッチングが行われていないことを想定して、ＰＤＳＣＨを受信する。
【０２４１】
また、設定されたパターンにおいて、ｎｏｎ−ＭＢＳＦＮサブフレームの場合、端末は、指定されたセルスペシフィック参照信号の位置に基づいたレートマッチングが行われていることを想定して、ＰＤＳＣＨを受信する。すなわち、端末は、第１の設定に基づいたＰＤＳＣＨの受信を行う。
【０２４２】
ここで、リソースエレメントが、基地局によって送信される情報（セルスペシフィック参照信号の位置を示す情報、物理信号／物理チャネルがマップされるリソースエレメントを示す情報でも良い）を使用して指定（指示、設定）されるリソースエレメントではないことを、第１の条件（第１の基準でも良い）とも記載する。
【０２４３】
また、リソースエレメントがＰＤＳＣＨの送信のために割り当てた物理リソースブロック内にあることは、第２の条件（第２の基準でも良い）とも記載する。また、第２の条件には、リソースエレメントが、セルスペシフィック参照信号の送信に対して使用されないことが含まれる。
【０２４４】
ここで、上述までの説明において、基本的には、セルスペシフィック参照信号の位置に基づいたＰＤＳＣＨの送受信に関連する処理について記載した。しかしながら、基地局と端末は、セルスペシフィック参照信号以外の物理信号／物理チャネルがマップされるリソースエレメントにも基づいて、ＰＤＳＣＨを送受信する。
【０２４５】
ここで、例えば、セルスペシフィック参照信号以外の物理信号には、ユーザー装置スペシフィック参照信号、ＭＢＳＦＮ参照信号、チャネル状態参照信号、同期信号などが含まれる。また、セルスペシフィック参照信号以外の物理チャネルには、物理報知チャネル（ＰＢＣＨ；Ｐｈｙｓｉｃａｌ  Ｂｒｏａｄｃａｓｔ  Ｃｈａｎｎｅｌ）などが含まれる。
【０２４６】
また、例えば、基地局と端末は、第１のスロットのｌ＜ｌＤａｔａＳｔａｒｔを満たすＯＦＤＭシンボルのリソースエレメントを除いたリソースエレメントにマップされたＰＤＳＣＨを送受信する。ここで、ｌは、スロット内のＯＦＤＭシンボルの番号を示している。また、基地局は、ｌＤａｔａＳｔａｒｔを示す情報を、端末へ送信することができる。
【０２４７】
ここで、リソースエレメントが、セルスペシフィック参照信号以外の物理信号の送信に使用されないことは、第２の条件に含まれる。また、リソースエレメントが、セルスペシフィック参照信号以外の物理チャネルの送信に使用されないことは、第２の条件に含まれる。また、第２の条件には、リソースエレメントが、第１のスロットのｌ＜ｌＤａｔａＳｔａｒｔを満たすことが含まれる。
【０２４８】
すなわち、第２の条件には、少なくとも、リソースエレメントがＰＤＳＣＨの送信のために割り当てた物理リソースブロック内にあることが含まれる。また、第２の条件には、少なくとも、リソースエレメントが、セルスペシフィック参照信号の送信に対して使用されないことが含まれる。
【０２４９】
上述したように、基地局と端末は、リソースエレメントを指定（指示、設定）する情報を送受信することができる。ここで、リソースエレメントを指定する情報には、リソースエレメントの位置（配置）を指定する情報が含まれる。また、リソースエレメントを指定する情報には、隣接セル（他セル、ｃｏｏｄｉｎａｔｅｄ  ｃｅｌｌ、ａｓｓｏｃｉａｔｅｄ  ｃｅｌｌとも呼称される）が物理信号／物理チャネルを送信するリソースエレメントを指定する情報が含まれる。
【０２５０】
また、基地局は、条件がＢの場合には、第１の条件および第２の条件を満たすリソースエレメントにＰＤＳＣＨをマップする。また、基地局は、条件がＡの場合には、第２の条件を満たすリソースエレメントにＰＤＳＣＨをマップする。
【０２５１】
また、端末は、条件がＢの場合には、第１の条件および第２の条件を満たすリソースエレメントにマップされたＰＤＳＣＨを受信する。また、端末は、条件がＡの場合には、第２の条件を満たすリソースエレメントにマップされたＰＤＳＣＨを受信する。
【０２５２】
上述のような方法によって、基地局と端末は、受信特性を劣化させることなくＰＤＳＣＨを送受信することが可能となり、無線リソースを効率的に使用した通信を行うことができる。また、上述のような方法によって、より動的に、ＰＤＳＣＨ以外の物理信号／物理チャネルの位置を考慮して、ＰＤＳＣＨを送受信することが可能となり、無線リソースを効率的に使用した通信を行うことができる。
【０２５３】
また、基地局と端末が、ＲＲＣ層における設定を行っている期間（例えば、ｄｅｄｉｃａｔｅｄ  ｓｉｇｎａｌを使用した設定を行っている期間）に、条件Ａを利用してＰＤＳＣＨを送受信することができる。すなわち、ＲＲＣ層における設定を行う際に生じる、設定が曖昧（不明確）となる期間（基地局と端末との間で、設定に不一致が生じる期間）において、条件Ａを利用してＰＤＳＣＨを送受信することができる。
【０２５４】
すなわち、基地局と端末が、ＲＲＣ層における設定を行っている期間であっても通信を継続することが可能となり、無線リソースを効率的に使用した通信を行うことができる。
【０２５５】
本発明に関わるプライマリ基地局、セカンダリ基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２５６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるセカンダリ基地局、セカンダリ基地局および端末の一部、または全てを、典型的には集積回路であるＬＳＩとして実現してもよい。ここで、セカンダリ基地局、セカンダリ基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０２５７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２５８】
本発明は、移動局装置や基地局装置や通信方法や集積回路や無線通信システムに対して好適である。
【符号の説明】
【０２５９】
１００  基地局
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
２００  端末
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
３０１  プライマリ基地局
３０２  セカンダリ基地局
３０３  端末
３０４、３０５  下りリンク
【図１】
2014023074.tif 000003
【図２】
2014023074.tif 000004
【図３】
2014023074.tif 000005
【図４】
2014023074.tif 000006
【図５】
2014023074.tif 000007
【図６】
2014023074.tif 000008
【図７】
2014023074.tif 000009
【図８】
2014023074.tif 000010
【図９】
2014023074.tif 000011
【図１０】
2014023074.tif 000012